(57)【要約】【課題】画像データに応じた適切な輝度階調で発光素子を発光動作させることができる表示装置及びその駆動制御方法を提供する。【解決手段】画素ＰＩＸは、画素駆動回路ＤＣと、有機ＥＬ素子ＯＥＬと、を備えている。画素駆動回路ＤＣは、少なくとも、選択ラインＬsea及びＬsebに各々印加される選択信号Ｖsea、Ｖsebに基づいて、画素ＰＩＸを選択状態に設定し、データラインＬｄを介して書き込まれる検査用電圧Ｖmeasに基づいて、データラインＬｄに流れる電流Ｉmeasを測定することにより、画素ＰＩＸに固有のパラメータを取得する。有機ＥＬ素子ＯＥＬは、取得されたパラメータに基づいて補正された階調電圧Ｖdataに応じた輝度階調で発光動作する。【選択図】図５
2010281874.tif 000002
【特許請求の範囲】
【請求項１】
画像データに応じて駆動される発光装置であって、
複数の画素と、各画素に接続される複数のデータラインと、電源電圧が供給される電源ライン及び共通電極と、を有する発光パネルと、
前記発光パネルに接続される駆動回路と、
を備え、
前記各画素は、電流路の一端が前記電源ラインに接続された駆動トランジスタと、アノード側が前記共通電極に接続されカソード側が前記駆動トランジスタの電流路の他端に接続された発光素子と、一端が前記駆動トランジスタの制御端子に接続され他端が前記駆動トランジスタの前記電流路の一端に接続された保持容量と、を有し、
前記駆動回路は、
前記保持容量の蓄積電荷を放電させた後、前記保持容量に蓄積させた電荷に応じて前記駆動トランジスタの前記電流路に流れる検査用電流の電流値を前記各データラインを介して測定する電流測定回路と、
前記電源ラインと前記共通電極に前記電源電圧を供給し、前記保持容量に電荷を蓄積し、前記電流測定回路により前記電流の電流値を測定する期間において、前記電源ライン及び前記共通電極の電位を、前記発光素子に電流が流れない状態となる第１及び第２の電位に設定する電源駆動回路と、
を有することを特徴とする発光装置。
【請求項２】
前記駆動回路は、前記各データラインの一端を前記電源ラインと同電位に設定し、前記駆動トランジスタの前記制御端子を前記データラインに電気的に接続して、前記保持容量の両端を同電位に設定することによって前記蓄積電荷を放電させることを特徴とする請求項１に記載の発光装置。
【請求項３】
前記駆動回路は、前記各データラインを介して前記保持容量の前記一端に検査用電圧を供給して、該保持容量に前記検査用電圧に応じた電荷を蓄積させる電圧印加回路を有し、
前記電流測定回路は、前記保持容量に蓄積された前記検査用電圧に応じた電荷に応じて前記駆動トランジスタの前記電流路に流れる前記検査用電流の電流値を測定することを特徴とする請求項１又は２に記載の発光装置。
【請求項４】
前記検査用電圧は、互いに異なる電圧値を有する第１の検査用電圧と第２の検査用電圧とを有し、
前記電流測定回路は、前記検査用電流の電流値として、前記第１の検査用電圧に対応する第１の電流値と前記第２の検査用電圧に対応する第２の電流値とを測定し、
前記駆動回路は、前記第１及び第２の検査用電圧と前記第１及び第２の電流値に基づいて、前記駆動トランジスタの閾値電圧及び電流増幅率を含む特性パラメータを取得する演算回路を有することを特徴とする請求項３に記載の発光装置。
【請求項５】
前記駆動回路は、画像データに応じた階調電圧を前記特性パラメータに基づいて補正した駆動電圧を前記各データラインを介して前記駆動トランジスタの前記制御端子に印加して前記保持容量に該駆動電圧に応じた電荷を蓄積させ、前記保持容量に蓄積された電荷に応じて前記駆動トランジスタの前記電流路に流れる駆動電流を前記発光素子に供給する駆動電圧印加回路を有し、
前記電源駆動回路は、前記駆動電流を前記発光素子に供給する期間において、前記電源ライン及び前記共通電極の電位を、前記発光素子に電流が流れる状態となる、第３及び第４の電位に設定することを特徴とする請求項４に記載の発光装置。
【請求項６】
前記電流測定回路は、前記各データラインを介して前記保持容量の一端に前記検査用電圧が印加されて、前記保持容量に前記検査用電圧に応じた電荷が蓄積された後に、前記検査用電流の電流値を測定することを特徴とする請求項３乃至５の何れかに記載の発光装置。
【請求項７】
前記発光パネルは第１の選択ラインと第２の選択ラインとを有し、前記各画素は、前記第１の選択ラインに印加される第１の選択信号に応じて前記駆動トランジスタの制御端子と前記各データラインとを接続する第１の選択トランジスタと、前記第２の選択ラインに印加される第２の選択信号に応じて前記駆動トランジスタの前記電流路の他端と前記各データラインとを接続する第２の選択トランジスタと、を有し、
前記駆動回路は、
前記各データラインの一端を前記電源ラインと同電位に設定し、前記第１の選択ラインに第１の選択信号を印加して、前記第１の選択トランジスタを介して前記各データラインと前記駆動トランジスタの制御端子とを接続して、前記保持容量の両端を同電位に設定して前記蓄積電荷の放電を行なわせ、
前記電圧印加回路により前記各データラインの一端に前記検査用電圧を印加し、前記第１の選択ラインに前記第１の選択信号を印加して、前記第１の選択トランジスタを介して前記各データラインと前記駆動トランジスタの制御端子とを接続して、前記各データラインを介して前記保持容量に前記検査用電圧に応じた電荷を蓄積させ、
前記保持容量に前記検査用電圧に応じた電荷を蓄積させた後に、前記第２の選択ラインに前記第２の選択信号を印加して、前記各データラインを介して前記電流測定回路と前記駆動トランジスタの前記電流路の他端とを接続して、前記電流測定回路により前記検査用電流の測定を行うことを特徴とする請求項６記載の発光装置。
【請求項８】
前記電流測定回路は、前記各データラインを介した前記保持容量の一端への前記検査用電圧の印加と並行して、前記検査用電流の電流値を測定することを特徴とする請求項３乃至５の何れかに記載の発光装置。
【請求項９】
前記発光パネルは第１の選択ラインと第２の選択ラインとを有し、前記複数のデータラインは前記複数の画素における第１の画素に接続される第１のデータラインと前記第１の画素と該第１の画素に隣接する第２の画素とに接続される第２のデータラインとを有し、前記第１の画素は、前記第１の選択ラインに印加される第１の選択信号に応じて前記駆動トランジスタの制御端子と前記第１のデータラインとを接続する第１の選択トランジスタと、前記第２の選択ラインに印加される第２の選択信号に応じて前記駆動トランジスタの前記電流路の他端と前記第２のデータラインとを接続する第２の選択トランジスタと、を有し、
前記駆動回路は、
前記第１のデータラインの一端を前記電源ラインと同電位に設定し、前記第１の選択ラインに第１の選択信号を印加して、前記第１の選択トランジスタを介して前記第１のデータラインと前記駆動トランジスタの制御端子とを接続して、前記保持容量の両端を同電位に設定して前記蓄積電荷の放電を行なわせ、
前記電圧印加回路により前記第１のデータラインの一端に前記検査用電圧を印加し、前記第１の選択ラインに前記第１の選択信号を印加して、前記第１の選択トランジスタを介して前記第１のデータラインと前記駆動トランジスタの制御端子とを接続して、前記第１のデータラインを介して前記保持容量へ前記検査用電圧に応じた電荷を蓄積させるとともに、前記第２の選択ラインに前記第２の選択信号を印加して、前記第２のデータラインを介して前記電流測定回路と前記駆動トランジスタの前記電流路の他端とを接続して、前記電流測定回路により前記検査用電流の測定を行うことを特徴とする請求項８記載の発光装置。
【請求項１０】
請求項１乃至９の何れかに記載の発光装置が実装されてなることを特徴とする電子機器。
【請求項１１】
画像データに応じて駆動される発光装置の駆動制御方法であって、
前記発光装置は、電源電圧が供給される電源ライン及び共通電極と、電流路の一端が前記電源ラインに接続された駆動トランジスタと、アノード側が前記共通電極に接続されカソード側が前記駆動トランジスタの電流路の他端に接続された発光素子と、一端が前記駆動トランジスタの制御端子に接続され他端が前記駆動トランジスタの前記電流路の一端に接続された保持容量と、を有する複数の画素と、前記各画素に接続される複数のデータラインと、を有し、
前記各画素の前記保持容量の蓄積電荷を放電させる初期化ステップと、
前記初期化ステップの後、前記保持容量に蓄積させた電荷に応じて前記駆動トランジスタの前記電流路に流れる検査用電流の電流値を前記各データラインを介して測定する電流測定ステップと、
前記保持容量に前記検査用電圧に応じた電荷を蓄積する期間及び前記電流測定回路により前記電流の電流値を測定する期間に、前記電源ライン及び前記共通電極の電位を、前記発光素子に電流が流れない状態となる第１及び第２の電位に設定する第１電源電圧設定ステップと、
を含むことを特徴とする発光装置の駆動制御方法。
【請求項１２】
前記初期化ステップは、
前記各データラインの一端を前記電源ラインと同電位に設定する電位設定ステップと、
前記駆動トランジスタの制御端子を前記データラインに電気的に接続して、前記保持容量の両端を同電位に設定する同電位設定ステップと、
を含むことを特徴とする請求項１１記載の発光装置の駆動制御方法。
【請求項１３】
前記電流測定ステップは、前記各データラインを介して前記保持容量の前記一端に検査用電圧を供給して、該保持容量に前記検査用電圧に応じた電荷を蓄積させる検査用電圧書込ステップを含むことを特徴とする請求項１１又は１２に記載の発光装置の駆動制御方法。
【請求項１４】
前記検査用電圧書込ステップは、前記各データラインを介して前記検査用電圧として第１の検査用電圧を前記保持容量の前記一端に供給する第１検査用電圧書込ステップと、前記検査用電圧として前記第１検査用電圧と異なる電圧値の第２の検査用電圧を前記保持容量の前記一端に供給する第２検査用電圧書込ステップと、を含み、
前記電流測定ステップは、前記電流測定回路は、前記検査用電流の電流値として、前記第１の検査用電圧に対応する第１の電流値を測定する第１電流測定ステップと、前記第２の検査用電圧に対応する第２の電流値を測定する第２電流測定ステップと、を含み、
前記第１及び第２の検査用電圧と前記第１及び第２の電流値に基づいて、前記駆動トランジスタの閾値電圧及び電流増幅率を含む特性パラメータを取得する特性パラメータ取得ステップを含むことを特徴とする請求項１３に記載の発光装置の駆動制御方法。
【請求項１５】
画像データに応じた階調電圧を前記特性パラメータに基づいて補正した駆動電圧を前記各データラインを介して前記駆動トランジスタの前記制御端子に印加して前記保持容量に該駆動電圧に応じた電荷を蓄積させる駆動電圧印加ステップと、
前記保持容量に蓄積された電荷に応じて前記駆動トランジスタの前記電流路に流れる駆動電流を前記発光素子に供給する発光動作ステップと、
前記駆動電流を前記発光素子に供給する期間において、前記電源ライン及び前記共通電極の電位を、前記発光素子に電流が流れる状態となる、第３及び第４の電位に設定する第２電源電圧設定ステップと、
を含むことを特徴とする請求項１４記載の発光装置の駆動制御方法。
【請求項１６】
前記電流測定ステップは、前記検査用電圧書込ステップによって前記保持容量に前記検査用電圧に応じた電荷が蓄積された後に実行されることを特徴とする請求項１３乃至１５の何れかに記載の発光装置の駆動制御方法。
【請求項１７】
前記検査用電圧書込ステップによる前記保持容量に前記検査用電圧に応じた電荷を蓄積する動作と、前記電流測定ステップによる前記検査用電流の電流値を測定する動作とは並行して実行されることを特徴とする請求項１３乃至１５の何れかに記載の発光装置の駆動制御方法。
【発明の詳細な説明】
【技術分野】
【０００１】
本発明は、発光装置及びその駆動制御方法、並びに電子機器に関し、特に、画像データに応じた電流を供給することにより所定の輝度階調で発光する電流駆動型の発光素子を有する画素を、複数配列した表示パネルを備えた表示装置及びその駆動制御方法、並びにこれを適用した電子機器に関する。
【背景技術】
【０００２】
近年、液晶表示装置に続く次世代の表示デバイスとして、有機エレクトロルミネッセンス素子（有機ＥＬ素子）や発光ダイオード（ＬＥＤ）等のような電流駆動型（又は、電流制御型）の発光素子を、マトリクス状に配列した表示パネルを備えた発光素子型の表示装置（発光素子型ディスプレイ、発光装置）が注目されている。
【０００３】
特に、アクティブマトリックス型の駆動方式を適用した発光素子型ディスプレイにおいては、液晶表示装置に比較して、表示応答速度が速く、視野角依存性も小さいという優れた表示特性を有している。また、液晶表示装置のようにバックライトや導光板を必要としないという装置構成上の特長も有している。そのため、今後様々な電子機器への適用が期待されている。
【０００４】
例えば、特許文献１に記載された有機ＥＬディスプレイ装置は、電圧信号によって電流制御されたアクティブマトリクス駆動表示装置であって、画像データに応じた電圧信号がゲートに印加されて有機ＥＬ素子に電流を流す電流制御用薄膜トランジスタと、この電流制御用薄膜トランジスタのゲートに画像データに応じた電圧信号を供給するためのスイッチングを行うスイッチ用薄膜トランジスタと、が画素ごとに設けられている。
【先行技術文献】
【特許文献】
【０００５】
【特許文献１】特開平８−３３０６００号公報
【発明の概要】
【発明が解決しようとする課題】
【０００６】
このような電圧信号によって階調を制御する有機ＥＬディスプレイ装置においては、電流制御用薄膜トランジスタ等の経時的なしきい値電圧の変化によって、有機ＥＬ素子に流れる電流の電流値が変動してしまうという問題を有している。
そこで、本発明は、上述した問題点に鑑み、画像データに応じた適切な輝度階調で発光素子を発光動作させることができる表示装置及びその駆動制御方法を提供することを目的とする。
【課題を解決するための手段】
【０００７】
請求項１記載の発明は、画像データに応じて駆動される発光装置であって、複数の画素と、各画素に接続される複数のデータラインと、電源電圧が供給される電源ライン及び共通電極と、を有する発光パネルと、前記発光パネルに接続される駆動回路と、を備え、前記各画素は、電流路の一端が前記電源ラインに接続された駆動トランジスタと、アノード側が前記共通電極に接続されカソード側が前記駆動トランジスタの電流路の他端に接続された発光素子と、一端が前記駆動トランジスタの制御端子に接続され他端が前記駆動トランジスタの前記電流路の一端に接続された保持容量と、を有し、前記駆動回路は、前記保持容量の蓄積電荷を放電させた後、前記保持容量に蓄積させた電荷に応じて前記駆動トランジスタの前記電流路に流れる検査用電流の電流値を前記各データラインを介して測定する電流測定回路と、前記電源ラインと前記共通電極に前記電源電圧を供給し、前記保持容量に電荷を蓄積し、前記電流測定回路により前記電流の電流値を測定する期間において、前記電源ライン及び前記共通電極の電位を、前記発光素子に電流が流れない状態となる第１及び第２の電位に設定する電源駆動回路と、を有することを特徴とする。
【０００８】
請求項２記載の発明は、請求項１に記載の発光装置において、前記駆動回路は、前記各データラインの一端を前記電源ラインと同電位に設定し、前記駆動トランジスタの前記制御端子を前記データラインに電気的に接続して、前記保持容量の両端を同電位に設定することによって前記蓄積電荷を放電させることを特徴とする。
請求項３記載の発明は、請求項１又は２に記載の発光装置において、前記駆動回路は、前記各データラインを介して前記保持容量の前記一端に検査用電圧を供給して、該保持容量に前記検査用電圧に応じた電荷を蓄積させる電圧印加回路を有し、前記電流測定回路は、前記保持容量に蓄積された前記検査用電圧に応じた電荷に応じて前記駆動トランジスタの前記電流路に流れる前記検査用電流の電流値を測定することを特徴とする。
請求項４記載の発明は、請求項３に記載の発光装置において、前記検査用電圧は、互いに異なる電圧値を有する第１の検査用電圧と第２の検査用電圧とを有し、前記電流測定回路は、前記検査用電流の電流値として、前記第１の検査用電圧に対応する第１の電流値と前記第２の検査用電圧に対応する第２の電流値とを測定し、前記駆動回路は、前記第１及び第２の検査用電圧と前記第１及び第２の電流値に基づいて、前記駆動トランジスタの閾値電圧及び電流増幅率を含む特性パラメータを取得する演算回路を有することを特徴とする。
請求項５記載の発明は、請求項４に記載の発光装置において、前記駆動回路は、画像データに応じた階調電圧を前記特性パラメータに基づいて補正した駆動電圧を前記各データラインを介して前記駆動トランジスタの前記制御端子に印加して前記保持容量に該駆動電圧に応じた電荷を蓄積させ、前記保持容量に蓄積された電荷に応じて前記駆動トランジスタの前記電流路に流れる駆動電流を前記発光素子に供給する駆動電圧印加回路を有し、前記電源駆動回路は、前記駆動電流を前記発光素子に供給する期間において、前記電源ライン及び前記共通電極の電位を、前記発光素子に電流が流れる状態となる、第３及び第４の電位に設定することを特徴とする。
請求項６記載の発明は、請求項３乃至５の何れかに記載の発光装置において、前記電流測定回路は、前記各データラインを介して前記保持容量の一端に前記検査用電圧が印加されて、前記保持容量に前記検査用電圧に応じた電荷が蓄積された後に、前記検査用電流の電流値を測定することを特徴とする。
請求項７記載の発明は、請求項６記載の発光装置において、前記発光パネルは第１の選択ラインと第２の選択ラインとを有し、前記各画素は、前記第１の選択ラインに印加される第１の選択信号に応じて前記駆動トランジスタの制御端子と前記各データラインとを接続する第１の選択トランジスタと、前記第２の選択ラインに印加される第２の選択信号に応じて前記駆動トランジスタの前記電流路の他端と前記各データラインとを接続する第２の選択トランジスタと、を有し、前記駆動回路は、前記各データラインの一端を前記電源ラインと同電位に設定し、前記第１の選択ラインに第１の選択信号を印加して、前記第１の選択トランジスタを介して前記各データラインと前記駆動トランジスタの制御端子とを接続して、前記保持容量の両端を同電位に設定して前記蓄積電荷の放電を行なわせ、前記電圧印加回路により前記各データラインの一端に前記検査用電圧を印加し、前記第１の選択ラインに前記第１の選択信号を印加して、前記第１の選択トランジスタを介して前記各データラインと前記駆動トランジスタの制御端子とを接続して、前記各データラインを介して前記保持容量に前記検査用電圧に応じた電荷を蓄積させ、前記保持容量に前記検査用電圧に応じた電荷を蓄積させた後に、前記第２の選択ラインに前記第２の選択信号を印加して、前記各データラインを介して前記電流測定回路と前記駆動トランジスタの前記電流路の他端とを接続して、前記電流測定回路により前記検査用電流の測定を行うことを特徴とする。
請求項８記載の発明は、請求項３乃至５の何れかに記載の発光装置において、前記電流測定回路は、前記各データラインを介した前記保持容量の一端への前記検査用電圧の印加と並行して、前記検査用電流の電流値を測定することを特徴とする。
請求項９記載の発明は、請求項８記載の発光装置において、前記発光パネルは第１の選択ラインと第２の選択ラインとを有し、前記複数のデータラインは前記複数の画素における第１の画素に接続される第１のデータラインと前記第１の画素と該第１の画素に隣接する第２の画素とに接続される第２のデータラインとを有し、前記第１の画素は、前記第１の選択ラインに印加される第１の選択信号に応じて前記駆動トランジスタの制御端子と前記第１のデータラインとを接続する第１の選択トランジスタと、前記第２の選択ラインに印加される第２の選択信号に応じて前記駆動トランジスタの前記電流路の他端と前記第２のデータラインとを接続する第２の選択トランジスタと、を有し、前記駆動回路は、前記第１のデータラインの一端を前記電源ラインと同電位に設定し、前記第１の選択ラインに第１の選択信号を印加して、前記第１の選択トランジスタを介して前記第１のデータラインと前記駆動トランジスタの制御端子とを接続して、前記保持容量の両端を同電位に設定して前記蓄積電荷の放電を行なわせ、前記電圧印加回路により前記第１のデータラインの一端に前記検査用電圧を印加し、前記第１の選択ラインに前記第１の選択信号を印加して、前記第１の選択トランジスタを介して前記第１のデータラインと前記駆動トランジスタの制御端子とを接続して、前記第１のデータラインを介して前記保持容量へ前記検査用電圧に応じた電荷を蓄積させるとともに、前記第２の選択ラインに前記第２の選択信号を印加して、前記第２のデータラインを介して前記電流測定回路と前記駆動トランジスタの前記電流路の他端とを接続して、前記電流測定回路により前記検査用電流の測定を行うことを特徴とする。
【０００９】
請求項１０記載の発明に係る電子機器は、請求項１乃至９の何れかに記載の発光装置が実装されてなることを特徴とする。
【００１０】
請求項１１記載の発明は、画像データに応じて駆動される発光装置の駆動制御方法であって、前記発光装置は、電源電圧が供給される電源ライン及び共通電極と、電流路の一端が前記電源ラインに接続された駆動トランジスタと、アノード側が前記共通電極に接続されカソード側が前記駆動トランジスタの電流路の他端に接続された発光素子と、一端が前記駆動トランジスタの制御端子に接続され他端が前記駆動トランジスタの前記電流路の一端に接続された保持容量と、を有する複数の画素と、前記各画素に接続される複数のデータラインと、を有し、前記各画素の前記保持容量の蓄積電荷を放電させる初期化ステップと、前記初期化ステップの後、前記保持容量に蓄積させた電荷に応じて前記駆動トランジスタの前記電流路に流れる検査用電流の電流値を前記各データラインを介して測定する電流測定ステップと、前記保持容量に前記検査用電圧に応じた電荷を蓄積する期間及び前記電流測定回路により前記電流の電流値を測定する期間に、前記電源ライン及び前記共通電極の電位を、前記発光素子に電流が流れない状態となる第１及び第２の電位に設定する第１電源電圧設定ステップと、を含むことを特徴とする。
【００１１】
請求項１２記載の発明は、請求項１１記載の発光装置の駆動制御方法において、前記初期化ステップは、前記各データラインの一端を前記電源ラインと同電位に設定する電位設定ステップと、前記駆動トランジスタの制御端子を前記データラインに電気的に接続して、前記保持容量の両端を同電位に設定する同電位設定ステップと、を含むことを特徴とする。
請求項１３記載の発明は、請求項１１又は１２に記載の発光装置の駆動制御方法において、前記電流測定ステップは、前記各データラインを介して前記保持容量の前記一端に検査用電圧を供給して、該保持容量に前記検査用電圧に応じた電荷を蓄積させる検査用電圧書込ステップを含むことを特徴とする。
請求項１４記載の発明は、請求項１３に記載の発光装置の駆動制御方法において、前記検査用電圧書込ステップは、前記各データラインを介して前記検査用電圧として第１の検査用電圧を前記保持容量の前記一端に供給する第１検査用電圧書込ステップと、前記検査用電圧として前記第１検査用電圧と異なる電圧値の第２の検査用電圧を前記保持容量の前記一端に供給する第２検査用電圧書込ステップと、を含み、前記電流測定ステップは、前記電流測定回路は、前記検査用電流の電流値として、前記第１の検査用電圧に対応する第１の電流値を測定する第１電流測定ステップと、前記第２の検査用電圧に対応する第２の電流値を測定する第２電流測定ステップと、を含み、前記第１及び第２の検査用電圧と前記第１及び第２の電流値に基づいて、前記駆動トランジスタの閾値電圧及び電流増幅率を含む特性パラメータを取得する特性パラメータ取得ステップを含むことを特徴とする。
請求項１５記載の発明は、請求項１４記載の発光装置の駆動制御方法において、画像データに応じた階調電圧を前記特性パラメータに基づいて補正した駆動電圧を前記各データラインを介して前記駆動トランジスタの前記制御端子に印加して前記保持容量に該駆動電圧に応じた電荷を蓄積させる駆動電圧印加ステップと、前記保持容量に蓄積された電荷に応じて前記駆動トランジスタの前記電流路に流れる駆動電流を前記発光素子に供給する発光動作ステップと、前記駆動電流を前記発光素子に供給する期間において、前記電源ライン及び前記共通電極の電位を、前記発光素子に電流が流れる状態となる、第３及び第４の電位に設定する第２電源電圧設定ステップと、を含むことを特徴とする。
請求項１６記載の発明は、請求項１３乃至１５の何れかに記載の発光装置の駆動制御方法において、前記電流測定ステップは、前記検査用電圧書込ステップによって前記保持容量に前記検査用電圧に応じた電荷が蓄積された後に実行されることを特徴とする。
請求項１７記載の発明は、請求項１３乃至１５の何れかに記載の発光装置の駆動制御方法において、前記検査用電圧書込ステップによる前記保持容量に前記検査用電圧に応じた電荷を蓄積する動作と、前記電流測定ステップによる前記検査用電流の電流値を測定する動作とは並行して実行されることを特徴とする。
【発明の効果】
【００１２】
本発明に係る発光装置及びその駆動制御方法によれば、画像データに応じた適切な輝度階調で発光素子を発光動作することができ、良好かつ均質な画質を実現することができる。
【図面の簡単な説明】
【００１３】
【図１】本発明に係る表示装置の全体構成の一例を示す概略ブロック図である。
【図２】第１の実施形態に係る表示装置に適用される表示パネル及びその周辺回路の一例を示す要部構成図である。
【図３】第１の実施形態に係る表示装置に適用可能なデータドライバの一例を示す概略ブロック図である。
【図４】第１の実施形態に係る表示装置に適用可能なデータドライバの出力回路の一例を示す概略回路構成図である。
【図５】第１の実施形態に係る表示パネルに適用される画素の一実施形態を示す回路構成図である。
【図６】第１の実施形態に係る表示装置における補正パラメータ取得動作を示すタイミングチャートである。
【図７】第１の実施形態に係る表示装置における初期化動作を示す動作概念図である。
【図８】第１の実施形態に係る表示装置における電圧書込動作を示す動作概念図である。
【図９】第１の実施形態に係る表示装置における電流測定動作を示す動作概念図である。
【図１０】第１の実施形態に係る補正パラメータ取得動作を表示パネルに適用した場合のタイミングチャートである。
【図１１】第１の実施形態に係る表示装置における表示動作を示すタイミングチャートである。
【図１２】第１の実施形態に係る表示装置におけるリセット動作を示す動作概念図である。
【図１３】第１の実施形態に係る表示装置における書込動作を示す動作概念図である。
【図１４】第１の実施形態に係る表示装置における発光動作を示す動作概念図である。
【図１５】第１の実施形態に係る表示動作を表示パネルに適用した場合のタイミングチャートである。
【図１６】第２の実施形態に係る表示装置に適用される表示パネル及びその周辺回路の一例を示す要部構成図である。
【図１７】第２の実施形態に係る表示パネルに適用される画素の一実施形態を示す回路構成図である。
【図１８】第２の実施形態に係る表示装置における補正パラメータ取得動作を示すタイミングチャートである。
【図１９】第２の実施形態に係る表示装置における初期化動作を示す動作概念図である。
【図２０】第２の実施形態に係る表示装置における電圧書込・電流測定動作を示す動作概念図である。
【図２１】第２の実施形態に係る補正パラメータ取得動作を表示パネルに適用した場合のタイミングチャートである。
【図２２】第２の実施形態に係る補正パラメータ取得動作を表示パネルに適用した場合の他のタイミングチャートである。
【図２３】第２の実施形態に係る表示装置における表示動作を示すタイミングチャートである。
【図２４】第２の実施形態に係る表示装置におけるリセット動作を示す動作概念図である。
【図２５】第２の実施形態に係る表示装置における書込動作を示す動作概念図である。
【図２６】第２の実施形態に係る表示装置における発光動作を示す動作概念図である。
【図２７】第２の実施形態に係る表示動作を、画素が２次元配列された表示パネルに適用した場合のタイミングチャートである。
【図２８】第３の実施形態に係わるデジタルカメラの構成を示す斜視図である。
【図２９】第３の実施形態に係わるモバイル型のパーソナルコンピュータの構成を示す斜視図である。
【図３０】第３の実施形態に係わる携帯電話の構成を示す図である。
【発明を実施するための形態】
【００１４】
以下、本発明に係る発光装置及びその駆動制御方法について、実施形態を示して詳しく説明する。なお、本実施形態では、発光装置を表示装置として説明する。
＜第１の実施形態＞
（表示装置）
まず、本発明に係る表示装置の概略構成について、図面を参照して説明する。
図１は、本発明に係る表示装置の全体構成の一例を示す概略ブロック図であり、図２は、第１の実施形態に係る表示装置に適用される表示パネル及びその周辺回路（駆動回路）の一例を示す要部構成図である。
【００１５】
図１に示すように、本実施形態に係る表示装置（発光装置）１００は、概略、表示パネル（発光パネル）１１０と、選択ドライバ（選択駆動回路）１２０と、電源ドライバ（電源駆動回路）１３０と、データドライバ（データ駆動回路）１４０と、システムコントローラ（制御回路）１５０と、表示信号生成回路１６０と、を備えて構成されている。ここで、選択ドライバ１２０、電源ドライバ１３０、データドライバ１４０、システムコントローラ１５０と、表示信号生成回路１６０は、本発明における駆動回路をなす。
【００１６】
表示パネル１１０は、図２に示すように、行方向（図面左右方向）及び列方向（図面上下方向）に２次元配列（例えばｎ／２行×ｍ列；ｎは偶数となる正の整数、ｍは正の整数）された複数の画素ＰＩＸと、行方向に配列された画素ＰＩＸに接続するように配設された複数の選択ラインＬs1〜Ｌsnと、全画素ＰＩＸに共通に接続するように配設された電源ラインＬｃと、全画素ＰＩＸに共通に設けられた共通電極Ｅａと、列方向に配列された画素ＰＩＸに接続するように配設された複数のデータラインＬｄと、を有している。ここで、各行の画素ＰＩＸには、各々、一対の選択ライン（第１及び第２の選択ライン）Ｌs1及びＬs2、Ｌs3及びＬs4、・・・Ｌsn-1及びＬsnが接続されている。また、画素ＰＩＸは、後述するように、画素駆動回路と、発光素子（表示素子）と、を有している。
【００１７】
選択ドライバ１２０は、上記の表示パネル１１０に配設された各選択ラインＬs1〜Ｌsnに接続され、各行の一対の選択ラインＬs1及びＬs2、Ｌs3及びＬs4、・・・Ｌsn-1及びＬsnごとに、所定のタイミングで所定の電圧レベルの選択信号Ｖse1及びＶse2、Ｖse3及びＶse4、・・・Ｖsen-1及びＶsenを順次印加する。
【００１８】
ここで、選択ドライバ１２０は、例えば図２に示すように、シフトレジスタ１２１と、出力回路１２２と、を備えている。シフトレジスタ１２１は、後述するシステムコントローラ１５０から供給される選択制御信号（例えば走査クロック信号及び走査スタート信号）に基づいて、各行の選択ラインＬs1〜Ｌsnに対応するシフト信号を順次出力する。出力回路１２２は、上記シフトレジスタ１２１から出力されるシフト信号を所定の信号レベル（選択レベル；例えばハイレベル）に変換して、システムコントローラ１５０から供給される選択制御信号（例えば出力制御信号）に基づいて、各選択ラインＬs1〜Ｌsnに選択信号Ｖse1〜Ｖsenとして出力する。
【００１９】
電源ドライバ１３０は、表示パネル１１０に共通に接続された各電源ラインＬｃ及び共通電極Ｅａに接続され、各電源ラインＬｃ及び共通電極Ｅａに所定のタイミングで所定の電源電圧Ｖsc、Ｖａを印加する。
【００２０】
ここで、電源ドライバ１３０は、例えば図２に示すように、システムコントローラ１５０から供給される電源制御信号（例えば出力制御信号）に基づいて、上記の選択信号の印加タイミングに同期して、各電源ラインＬｃ及び共通電極Ｅａに所定の信号レベルの電源電圧Ｖsc、Ｖａを個別に供給する電源回路１３１、１３２を備えている。
【００２１】
データドライバ１４０は、表示パネル１１０の各データラインＬｄに接続され、少なくとも表示動作時に、画像データに応じた階調信号（階調電圧Ｖdata）を生成して、各データラインＬｄを介して画素ＰＩＸへ供給する。また、後述する補正パラメータ取得動作時に、特定の電圧値の検査用電圧Ｖmeasを、各データラインＬｄを介して画素ＰＩＸへ供給し、検査用電圧Ｖmeasに対応して画素ＰＩＸに流れる電流Ｉmeasの電流値を測定値として出力する。
【００２２】
図３は、本実施形態に係る表示装置に適用可能なデータドライバの一例を示す概略ブロック図である。また、図４は、図３に示したデータドライバの出力回路の一例を示す概略回路構成図である。ここで、図４おいては、Ｄ／Ａコンバータ１４４と出力回路１４５のみを示して、データドライバ１４０の図示を簡略化する。
【００２３】
データドライバ１４０は、例えば図３に示すように、シフトレジスタ回路１４１と、データレジスタ回路１４２と、データラッチ回路１４３と、Ｄ／Ａコンバータ１４４と、出力回路１４５と、を備えている。
【００２４】
シフトレジスタ回路１４１は、システムコントローラ１５０から供給されるデータ制御信号（シフトクロック信号ＣＬＫ、サンプリングスタート信号ＳＴＲ）に基づいて、順次シフト信号を出力する。データレジスタ回路１４２は、該シフト信号の入力タイミングに基づいて、表示信号生成回路１６０から供給される１行分の画像データＤ０〜Ｄｍを順次取り込む。データラッチ回路１４３は、データ制御信号（データラッチ信号ＳＴＢ）に基づいて、データレジスタ回路１４２に取り込まれた１行分の画像データＤ０〜Ｄｍを保持する。Ｄ／Ａコンバータ１４４は、図示を省略した電源供給手段から供給される階調基準電圧Ｖ０〜ＶＰに基づいて、上記保持された画像データＤ０〜Ｄｍを、所定のアナログ信号電圧Ｖpixに変換する。出力回路１４５は、アナログ信号電圧に変換された画像データを所定の信号レベルの階調電圧Ｖdataに変換して、システムコントローラ１５０から供給されるデータ制御信号（出力切換・イネ−ブル信号ＯＥ）に基づいて、当該画像データに対応する各列のデータラインＬｄに一斉に出力する。
【００２５】
特に、本実施形態に適用されるデータドライバ１４０においては、図４に示すように、出力回路１４５に、各列のデータラインＬｄに接続された切換スイッチ（接続切換回路）１４５ａと、Ｄ／Ａコンバータ１４４の出力に対するバッファ回路として動作するフォロワアンプ１４５ｂと、電流計（電流測定回路）１４５ｃと、を有している。
【００２６】
切換スイッチ１４５ａは、システムコントローラ１５０から供給されるデータ制御信号に基づいて、データラインＬｄを接点Ｎａ、Ｎｂ、Ｎｃのいずれかに選択的に接続する。接点Ｎａは、フォロワアンプ１４５ｂを介してＤ／Ａコンバータ１４４に接続され、Ｄ／Ａコンバータ１４４から出力される画像データに応じたアナログ信号電圧Ｖpixが階調電圧Ｖdataとして印加される。接点Ｎｂは、接地電位（ＧＮＤ）に接続されている。接点Ｎｃは、電流計１４５ｃを介してハイレベルの電圧Ｖbを出力する図示を省略した測定用電源に接続されている。
【００２７】
これにより、切換スイッチ１４５ａは、表示パネル１１０に配列された画素ＰＩＸを初期化、又は、リセットする際には、接点Ｎｂに接続して、データラインＬｄを接地電位ＧＮＤに設定する。また、各画素ＰＩＸに画像データを書込む際には、接点Ｎａに接続して、データラインＬｄに画像データに応じた階調電圧Ｖdataが印加されるように設定する。また、各画素ＰＩＸに固有の補正パラメータを取得する際には、接点Ｎｃに接続して、データラインＬｄに流れる電流Imeasの電流値が電流計１４５ｃにより測定されて、出力されるように設定する。
【００２８】
ここで、詳しくは後述するが、補正パラメータ取得動作時には、上記のデータラインＬｄに流れる電流の電流値を電流計１４５ｃにより測定する動作に先立って、データラインＬｄに特定の電圧値の検査用電圧Ｖmeasを印加する動作を実行する。この検査用電圧Ｖmeasは、上記のデータドライバ１４０の構成において、画像データに替えて補正パラメータ取得用データを、データレジスタ回路１４２を介してＤ／Ａコンバータ（電圧生成回路）１４４に供給することにより生成され、出力回路１４５から所定のタイミングで各データラインＬｄに供給される。
【００２９】
なお、検査用電圧Ｖmeasを生成、供給する手法は、上記の手法のほか、出力回路１４５又はデータドライバ１４０の外部に図示を省略した定電圧源（電圧生成回路）を備え、補正パラメータ取得動作時の所定のタイミングで、当該定電圧源から特定の電圧値の検査用電圧Ｖmeasを各データラインＬｄに供給するように切り換え制御するものであってもよい。
【００３０】
システムコントローラ１５０は、後述する表示信号生成回路１６０から供給されるタイミング信号に基づいて、少なくとも上記選択ドライバ１２０及び電源ドライバ１３０、データドライバ１４０の動作状態を制御して、表示パネル１１０における所定の駆動制御動作を実行するための選択制御信号及び電源制御信号、データ制御信号を生成して出力する。
【００３１】
特に、本実施形態においては、システムコントローラ１５０は、選択ドライバ１２０及び電源ドライバ１３０、データドライバ１４０の各々に対して、選択制御信号及び電源制御信号、データ制御信号を出力することにより、各ドライバを所定のタイミングで動作させて、所定の電圧レベルの選択信号Ｖse1〜Ｖsen及び電源電圧Ｖsc、Ｖａ並びに、補正パラメータ取得用の検査用電圧Ｖmeas、画像データに応じた階調電圧Ｖdataを生成して出力させる。これにより、システムコントローラ１５０は、各画素ＰＩＸにおける駆動制御動作（後述する補正パラメータ取得動作、及び、表示動作）を連続的に実行させて、映像信号に基づく所定の画像情報を表示パネル１１０に表示させる制御を行う。
【００３２】
表示信号生成回路１６０は、例えば、表示装置１００の外部から供給される映像信号に基づいて、画像データ（輝度階調データ）を生成してデータドライバ１４０に供給するとともに、該画像データに基づいて表示パネル１１０に所定の画像情報を表示するためのタイミング信号（システムクロック等）を抽出、又は、生成してシステムコントローラ１５０に供給する。
【００３３】
表示信号生成回路１６０は、具体的には、映像信号から輝度階調信号成分を抽出し、表示パネル１１０の１行分ごとに、該輝度階調信号成分をデジタル信号からなる画像データ（輝度階調データ）としてデータドライバ１４０のデータレジスタ回路１４２に供給する。ここで、上記映像信号が、テレビ放送信号（コンポジット映像信号）のように、画像情報の表示タイミングを規定するタイミング信号成分を含む場合には、表示信号生成回路１６０は、上記輝度階調信号成分を抽出する機能のほか、タイミング信号成分を抽出してシステムコントローラ１５０に供給する機能を有するものであってもよい。この場合においては、上記システムコントローラ１５０は、表示信号生成回路１６０から供給されるタイミング信号に基づいて、選択ドライバ１２０や電源ドライバ１３０、データドライバ１４０に対して個別に供給する各制御信号を生成する。
【００３４】
（画素）
次に、本実施形態に係る表示パネルに配列される画素について具体的に説明する。
図５は、本実施形態に係る表示パネルに適用される画素（画素駆動回路及び発光素子）の一実施形態を示す回路構成図である。
【００３５】
本実施形態に係る表示パネル１１０に配列される画素ＰＩＸは、図５に示すように、画素駆動回路ＤＣと、有機ＥＬ素子（電流制御型の発光素子）ＯＥＬと、を備えた構成を有している。画素駆動回路ＤＣは、少なくとも、選択ドライバ１２０から選択ラインＬsea（Ｌs1、Ｌs3、・・・Ｌsn-1）を介して印加される選択信号Ｖsea（Ｖse1、Ｖse3、・・・Ｖsen-1）、及び、選択ラインＬseb（Ｌs2、Ｌs4、・・・Ｌsn）を介して印加される選択信号Ｖseb（Ｖse2、Ｖse4、・・・Ｖsen）に基づいて、画素ＰＩＸを選択状態に設定する。これにより、画素駆動回路ＤＣは、データドライバ１４０からデータラインＬｄを介して供給される階調電圧Ｖdataに応じた発光駆動電流を生成する。有機ＥＬ素子ＯＥＬは、上記画素駆動回路ＤＣにより生成される発光駆動電流に基づいて、所定の輝度階調で発光動作する。
【００３６】
図５に示す画素駆動回路ＤＣは、具体的には、トランジスタＴｒ１１〜Ｔｒ１３と、キャパシタＣｓとを備えている。トランジスタＴｒ１１〜Ｔｒ１３はゲート端子、ドレイン端子及びソース端子を有し、ドレイン端子とソース端子間に形成される電流路を有するものである。トランジスタ（第１の選択トランジスタ）Ｔｒ１１は、ゲート端子が選択ラインＬsea（Ｌs1、Ｌs3、・・・Ｌsn-1；第１の選択ライン）に接続され、また、ドレイン端子がデータラインＬｄに接続され、また、ソース端子が接点Ｎ１１に接続されている。トランジスタ（第２の選択トランジスタ）Ｔｒ１２は、ゲート端子が選択ラインＬseb（Ｌs2、Ｌs4、・・・Ｌsn；第２の選択ライン）に接続され、また、ドレイン端子がデータラインＬｄに接続され、また、ソース端子が接点Ｎ１２に接続されている。トランジスタ（駆動トランジスタ）Ｔｒ１３は、ゲート端子が接点Ｎ１１に接続され、ソース端子が電源ラインＬｃに接続され、ドレイン端子が接点Ｎ１２に接続されている。また、キャパシタ（保持容量）Ｃｓは、トランジスタＴｒ１３のゲート端子（接点Ｎ１１）及びソース端子間に接続されている。
【００３７】
すなわち、本実施形態においては、１個の画素ＰＩＸに対して、一対（２本）の選択ラインＬsea及びＬsebが接続されている。有機ＥＬ素子ＯＥＬは、アノード（アノード電極）が共通電極Ｅａに接続され、カソード（カソード電極）が上記画素駆動回路ＤＣの接点Ｎ１２に接続されている。
【００３８】
なお、図５に示した画素ＰＩＸにおいて、トランジスタＴｒ１１〜Ｔｒ１３については、特に限定するものではないが、例えば全て同一のチャネル型を有する周知の薄膜トランジスタ（ＴＦＴ）を適用することができる。トランジスタＴｒ１１〜Ｔｒ１３は、アモルファスシリコン薄膜トランジスタであっても、ポリシリコン薄膜トランジスタであってもよい。また、図５においては、トランジスタＴｒ１１〜Ｔｒ１３がｎチャネル型の薄膜トランジスタからなる場合を示す。
【００３９】
特に、トランジスタＴｒ１１〜Ｔｒ１３をｎチャネル型アモルファスシリコン薄膜トランジスタにより構成した場合、すでに確立されたアモルファスシリコン製造技術を適用して、多結晶型や単結晶型の薄膜トランジスタに比較して、簡易な製造プロセスで動作特性（電子移動度等）が均一で安定したトランジスタを実現することができる。また、キャパシタＣｓは、トランジスタＴｒ１３のゲート・ドレイン間に形成される寄生容量であってもよいし、当該寄生容量に加えて別個の容量素子を並列に接続したものであってもよい。
【００４０】
また、上述した画素ＰＩＸにおいては、画素駆動回路ＤＣとして３個のトランジスタＴｒ１１〜Ｔｒ１３を備えた回路構成を示したが、本発明はこの実施形態に限定されるものではなく、３個以上のトランジスタを備えた他の回路構成を有するものであってもよい。また、画素駆動回路ＤＣにより発光駆動される発光素子として有機ＥＬ素子ＯＥＬを適用した回路構成を示したが、本発明はこれに限定されるものではなく、電流制御型の発光素子であれば、例えば、発光ダイオード等の他の発光素子であってもよい。
【００４１】
（表示装置の駆動制御方法）
次に、本実施形態に係る表示装置における駆動制御方法について説明する。
本実施形態に係る表示装置１００の駆動制御動作は、補正パラメータ取得動作と、表示動作と、を有している。
【００４２】
補正パラメータ取得動作においては、表示パネル１１０に配列された各画素ＰＩＸにおける発光特性の変動を補償するためのパラメータを取得する。より具体的には、各画素ＰＩＸの画素駆動回路ＤＣに設けられた発光駆動用のトランジスタＴｒ１３のしきい値電圧Ｖthの経時的な変化に対応する電流値（電流Ｉmeas）を測定して、補正パラメータとして取得する動作を実行する。
【００４３】
表示動作においては、画像データに応じて生成した電圧値を、上述した補正パラメータ取得動作において画素ＰＩＸごとに取得した補正パラメータに基づいて補正して、階調電圧Ｖdataとして各画素ＰＩＸに書き込む。これにより、各画素ＰＩＸにおける発光特性の変動（トランジスタＴｒ１３のしきい値電圧Ｖthの変化）を補償した電流値の発光駆動電流を有機ＥＬ素子ＯＥＬに供給して、画像データに応じた輝度階調で発光させる。
【００４４】
以下、各動作について具体的に説明する。
（補正パラメータ取得動作）
図６は、本実施形態に係る表示装置における補正パラメータ取得動作を示すタイミングチャートである。図７は、本実施形態に係る表示装置における初期化動作を示す動作概念図であり、図８は、本実施形態に係る表示装置における電圧書込動作を示す動作概念図であり、図９は、本実施形態に係る表示装置における電流測定動作を示す動作概念図である。ここで、図７〜図９おいては、データドライバ１４０の構成として、図示の都合上、Ｄ／Ａコンバータ１４４と出力回路１４５のみを示す。
【００４５】
本実施形態に係る補正パラメータ取得動作においては、図６（ａ）に示すように、所定の補正パラメータ取得期間Ｔcrpに、画素ＰＩＸを初期化する初期化期間Ｔiniと、補正パラメータ取得用の検査用電圧Ｖmeasを書き込む電圧書込期間Ｔwvmと、画素ＰＩＸに流れる電流Ｉmeasを測定する電流測定期間Ｔrimと、を含むように設定されている。
【００４６】
まず、初期化期間Ｔiniにおいては、図６（ａ）、図７（ａ）に示すように、画素ＰＩＸに接続された選択ラインＬsea及びＬsebに対して、選択ドライバ１２０から各々ハイレベル（選択レベル）の選択信号Ｖsea及びＶsebを印加し、また、電源ラインＬｃ及び共通電極Ｅａに対して、電源ドライバ１３０から各々ローレベル（接地電位ＧＮＤ）の電源電圧Ｖsc及びＶａを印加する。また、このタイミングに同期して、図６（ａ）、図７（ａ）に示すように、データドライバ１４０の出力回路１４５に設けられた切換スイッチ１４５ａを接点Ｎｂに切換接続することにより、データラインＬｄに対して接地電位ＧＮＤ（初期化電圧）を印加する。
【００４７】
これにより、図７（ａ）、（ｂ）に示すように、画素ＰＩＸの画素駆動回路ＤＣに設けられたトランジスタＴｒ１１、Ｔｒ１２がオン動作して、トランジスタＴｒ１３のゲート端子（接点Ｎ１１）及びドレイン端子（接点Ｎ１２；有機ＥＬ素子ＯＥＬのカソード）が接地電位ＧＮＤに設定されるとともに、トランジスタＴｒ１３のソース端子及び有機ＥＬ素子ＯＥＬのアノードも接地電位ＧＮＤに設定される。
【００４８】
したがって、トランジスタＴｒ１３のゲート・ソース間に接続されたキャパシタＣｓに蓄積された電荷が放電されて画素ＰＩＸが初期化される。なお、このとき、トランジスタＴｒ１３はオフ状態となり、また、有機ＥＬ素子ＯＥＬには電流が流れないため発光動作しない。なお、この初期化期間ＴiniにおけるトランジスタＴｒ１２をオン動作してトランジスタＴｒ１３のドレイン端子を接地電位ＧＮＤに設定する動作は必ず必要な動作ではなく、この動作を行わなくても通常は問題なく画素ＰＩＸを初期化することができるため、この動作を行わないようにしてもよい。しかしながら、トランジスタＴｒ１２をオン動作してトランジスタＴｒ１３のドレイン端子を接地電位ＧＮＤに設定することにより、キャパシタＣｓに蓄積された電荷を確実に放電して画素ＰＩＸを確実に初期化することができるため、この動作を行うことが好ましい。
【００４９】
次いで、電圧書込期間Ｔwvmにおいては、図６（ａ）、図８（ａ）に示すように、電源ラインＬｃ及び共通電極Ｅａにローレベル（接地電位ＧＮＤ）の電源電圧Ｖsc及びＶａを印加した状態で、選択ラインＬseaにハイレベル（選択レベル）の選択信号Ｖseaを印加するとともに、選択ラインＬsebにローレベル（非選択レベル）の選択信号Ｖsebを印加する。また、このタイミングに同期して、図６（ａ）、図８（ａ）に示すように、データドライバ１４０の切換スイッチ１４５ａを接点Ｎａに切換接続することにより、データラインＬｄに対して補正パラメータ取得用の特定の電圧値の検査用電圧Ｖmeasを印加する。ここで、検査用電圧Ｖmeasは、図３に示したデータドライバ１４０において、画像データＤ０〜Ｄｍに替えて、所定の補正パラメータ取得用データをデータレジスタ回路１４２に供給することにより、Ｄ／Ａコンバータ１４４を介して生成される。また、この検査用電圧Ｖmeasの電圧値はトランジスタＴｒ１３の閾値電圧より大きい値に設定される。
【００５０】
これにより、図８（ａ）、（ｂ）に示すように、画素ＰＩＸの画素駆動回路ＤＣに設けられたトランジスタＴｒ１１がオン動作して、トランジスタＴｒ１３のゲート端子（接点Ｎ１１）に検査用電圧Ｖmeasが印加される。また、トランジスタＴｒ１２がオフ動作して、トランジスタＴｒ１３のドレイン端子（接点Ｎ１２）に印加された接地電位ＧＮＤが保持される。また、トランジスタＴｒ１３のソース端子及び有機ＥＬ素子ＯＥＬのアノードは接地電位ＧＮＤに設定される。
【００５１】
したがって、トランジスタＴｒ１３のゲート・ソース間に接続されたキャパシタＣｓに検査用電圧Ｖmeasに応じた電荷が蓄積されて画素ＰＩＸに検査用電圧Ｖmeasが書き込まれる。ここで、検査用電圧Ｖmeasは、トランジスタＴｒ１１のオン抵抗や、配線抵抗を経由してトランジスタＴｒ１３のゲート端子（接点Ｎ１１）に印加されるが、書き込む先が容量（キャパシタＣｓ）であるので、トランジスタＴｒ１１のドレイン・ソース間や配線抵抗に電流は殆ど流れないため、これらによる電圧降下は殆ど無く、時定数のバラツキはあるものの、その書込み精度は十分高いものとなる。すなわち、トランジスタＴｒ１３のゲート・ソース間電圧Ｖgsは、キャパシタＣｓに充電された検査用電圧Ｖmeasと略同等になる。なお、このとき、トランジスタＴｒ１３はオン動作するが、ソース・ドレイン間に電位差が生じていないため電流は流れず、また、有機ＥＬ素子ＯＥＬにも電流が流れないため発光動作しない。
【００５２】
次いで、電流測定期間Ｔrimにおいては、図６（ａ）、図９（ａ）に示すように、選択ラインＬseaにローレベル（非選択レベル）の選択信号Ｖseaを印加するとともに、選択ラインＬsebにハイレベル（選択レベル）の選択信号Ｖsebを印加する。また、このタイミングに同期して、図６（ａ）、図９（ａ）に示すように、データドライバ１４０の切換スイッチ１４５ａを接点Ｎｃに切換接続することにより、データラインＬｄと電流計１４５ｃを接続する。そして、この状態で、電源ラインＬｃ及び共通電極Ｅａにローレベルの電源電圧Ｖsa（接地電位ＧＮＤ）を印加する。
【００５３】
これにより、図９（ａ）、（ｂ）に示すように、画素ＰＩＸの画素駆動回路ＤＣに設けられたトランジスタＴｒ１１がオフ動作して、トランジスタＴｒ１３のゲート端子（接点Ｎ１１）に印加された検査用電圧Ｖmeasが保持される。また、トランジスタＴｒ１２がオン動作して、トランジスタＴｒ１３のドレイン端子（接点Ｎ１２）がデータラインＬｄを介して電流計１４５ｃに接続され、電流計１４５ｃを介して測定用電源からハイレベルの電圧Ｖbが印加される。また、トランジスタＴｒ１３のソース端子は接地電位ＧＮＤに設定され、有機ＥＬ素子ＯＥＬのアノードも接地電位ＧＮＤに設定される。
【００５４】
したがって、キャパシタＣｓに充電された検査用電圧ＶmeasによりトランジスタＴｒ１３のゲート・ソース間電圧Ｖgsが保持されて、トランジスタＴｒ１３がオン動作し、ドレイン・ソース間に電位差が生じるため、測定用電源から電流計１４５ｃ、データラインＬｄ、トランジスタＴｒ１２、接点Ｎ１２、トランジスタＴｒ１３を介して、電源ラインＬｃ方向に電流Ｉmeasが流れる。この電流Ｉmeasは、データドライバ１４０に設けられた電流計１４５ｃによりその電流値が測定される。そして、測定された電流Ｉmeasの電流値に基づいて、後述するようにトランジスタＴｒ１３のしきい値電圧Ｖthと移動度を含む定数βの２種類のパラメータを取得して、補正パラメータとして図示を省略した記憶回路（メモリ）に格納する。なお、補正パラメータを格納する記憶回路は、例えばデータドライバ１４０内に設けられるものであってもよいし、独立した別個の構成として設けるものであってもよい。
【００５５】
ここで、電流Ｉmeasの電流値は、画素ＰＩＸのトランジスタＴｒ１３の特性変化（具体的には、しきい値電圧Ｖthの経時的な変化）の状態に応じて異なるため、その電流値から当該トランジスタＴｒ１３特有のパラメータを入手することができる。より具体的には、測定用電源の電圧Ｖbの電圧値を、トランジスタＴｒ１３が飽和領域で動作する値に設定した場合、トランジスタＴｒ１３に流れるドレイン電流Ｉdsは、次の（１）式のように表すことができる。ここで、ドレイン電流Ｉdsは、電流計１４５ｃにより測定される電流Ｉmeasである。
Ｉds ＝ Ｉmeas ＝ β（Ｖmeas−Ｖth）２      ・・・（１）
【００５６】
したがって、上記式において、検査用電圧Ｖmeasとして２つの異なる電圧値の第１の検査用電圧Ｖmeas1、第２の検査用電圧Ｖmeas2を印加した場合に、トランジスタＴｒ１３に流れるドレイン電流Ｉdsの２つの電流（第１の電流Ｉmeas1、第２の電流Ｉmeas2）の電流値を測定することにより、トランジスタＴｒ１３のしきい値電圧Ｖthと移動度を含む定数βの２種類のパラメータを取得することができる。また、このとき、トランジスタＴｒ１３は、定電流源として動作するため、トランジスタＴｒ１２のオン抵抗や、配線抵抗の影響を受けることがなく、取得されるパラメータはトランジスタＴｒ１３の特性変化を十分に反映しており、その精度は十分高いものとなる。
【００５７】
ここで、検査用電圧Ｖmeasとして第１の検査用電圧Ｖmeas1と第２の検査用電圧Ｖmeas2を印加し、対応するドレイン電流Ｉdsの第１の電流Ｉmeas1と第２の電流Ｉmeas2を測定する場合の動作について説明する。図６（ｂ）は、このときの補正パラメータ取得動作を示すタイミングチャートである。なお、上記の図６（ａ）に基づいて説明した動作と同じ動作については説明を簡略化又は省略する。
【００５８】
図６（ｂ）に示すように、補正パラメータ取得期間Ｔcrpは、画素ＰＩＸを初期化する初期化期間Ｔiniと、補正パラメータ取得用の第１の検査用電圧Ｖmeas1を書き込む第１電圧書込期間Ｔwvm1と、画素ＰＩＸに流れる第１の電流Ｉmeas1を測定する第１電流測定期間Ｔrim1と、補正パラメータ取得用の第２の検査用電圧Ｖmeas2を書き込む第２電圧書込期間Ｔwvm2と、画素ＰＩＸに流れる第２の電流Ｉmeas2を測定する第２電流測定期間Ｔrim2と、を含む。ここで、初期化期間Ｔiniにおける動作は上記の図６（ａ）における動作と同じであるので説明を省略する。
【００５９】
次いで、第１電圧書込期間Ｔwvm1においては、共通電極Ｅａ及び電源ラインＬｃにローレベル（接地電位ＧＮＤ）の電源電圧Ｖａ、Ｖscを印加した状態で、選択ラインＬseaにハイレベル（選択レベル）の選択信号Ｖseaを印加するとともに、選択ラインＬsebにローレベル（非選択レベル）の選択信号Ｖsebを印加し、データラインＬｄに対して第１の検査用電圧Ｖmeas1を印加する。
【００６０】
次いで、第１電流測定期間Ｔrim1においては、選択ラインＬseaにローレベル（非選択レベル）の選択信号Ｖseaを印加するとともに、選択ラインＬsebにハイレベル（選択レベル）の選択信号Ｖsebを印加し、データラインＬｄと電流計１４５ｃを接続する。そして、この状態で、電源ラインＬｃ及び共通電極Ｅａにローレベル（接地電位ＧＮＤ）の電源電圧Ｖsc及びＶａを印加する。これにより、測定用電源から電流計１４５ｃ、データラインＬｄ、トランジスタＴｒ１２、接点Ｎ１２、トランジスタＴｒ１３を介して、電源ラインＬｃ方向に流れる第１の電流Ｉmeas1の電流値が電流計１４５ｃにより測定される。
【００６１】
次いで、第２電圧書込期間Ｔwvm2においては、電源ラインＬｃ及び共通電極Ｅａにローレベル（接地電位ＧＮＤ）の電源電圧Ｖａ、Ｖscを印加した状態で、選択ラインＬseaにハイレベル（選択レベル）の選択信号Ｖseaを印加するとともに、選択ラインＬsebにローレベル（非選択レベル）の選択信号Ｖsebを印加し、データラインＬｄに対して第２の検査用電圧Ｖmeas2を印加する。
【００６２】
次いで、第２電流測定期間Ｔrim2においては、選択ラインＬseaにローレベル（非選択レベル）の選択信号Ｖseaを印加するとともに、選択ラインＬsebにハイレベル（選択レベル）の選択信号Ｖsebを印加し、データラインＬｄと電流計１４５ｃを接続する。そして、この状態で、電源ラインＬｃ及び共通電極Ｅａにローレベル（接地電位ＧＮＤ）の電源電圧Ｖsc及びＶａを印加し、測定用電源から電流計１４５ｃ、データラインＬｄ、トランジスタＴｒ１２、接点Ｎ１２、トランジスタＴｒ１３を介して、電源ラインＬｃ方向に流れる第２の電流Ｉmeas2の電流値が電流計１４５ｃにより測定される。
【００６３】
なお、この電流測定動作において、電源ラインＬｃに印加されるハイレベルの電源電圧Ｖscは、有機ＥＬ素子ＯＥＬに電流が流れて発光動作しないように、逆バイアスとなる高電位の電圧に設定する。すなわち、電源電圧Ｖscは、有機ＥＬ素子ＯＥＬのカソード（接点Ｎ１２）に印加される電圧が、アノード（共通電極Ｅａ）に印加される電源電圧Ｖａよりも高電位になるように、電圧値を設定する。
【００６４】
次に、画素ＰＩＸが２次元配列された表示パネル１１０において、上述した補正パラメータ取得動作を実行する場合について説明する。
図１０は、本実施形態に係る補正パラメータ取得動作を、画素が２次元配列された表示パネルに適用した場合のタイミングチャートである。なお、補正パラメータとしてトランジスタＴｒ１３のしきい値電圧Ｖthと移動度を含む定数βの２種類のパラメータを取得する場合、上記の図６（ｂ）に示したように、補正パラメータ取得期間Ｔcrpは、初期化期間Ｔiniと、第１電圧書込期間Ｔwvm1、第１電流測定期間Ｔrim1、第２電圧書込期間Ｔwvm2、第２電流測定期間Ｔrim2を含むものであるが、便宜上、図１０においてはこれを省略して、上記の図６（ａ）に対応する形で示している。
【００６５】
画素ＰＩＸが２次元配列された図２に示す表示パネル１１０において、補正パラメータ取得動作を実行する場合には、図１０に示すように、まず、初期化期間Ｔiniにおいて、表示パネル１１０の全ての行の選択ラインＬs1〜Ｌsnに対してハイレベルの選択信号Ｖse1〜Ｖsenを一斉に印加し、電源ラインＬｃ及び共通電極Ｅａに対して接地電位ＧＮＤの電源電圧Ｖsc及びＶａを印加した状態で、各列のデータラインＬｄを一斉に接地電位ＧＮＤに設定する。これにより、表示パネル１１０に配列された全ての画素ＰＩＸにおいて、画素駆動回路ＤＣのキャパシタＣｓに蓄積された電荷が放電されて初期化が行われる。
【００６６】
次いで、図１０に示すように、電圧書込動作及び電流測定動作からなる一連の動作を、表示パネル１１０の１行目からｎ／２行目の画素ＰＩＸに対して順次実行する。まず、１行目の画素ＰＩＸに対して、上述したように、電圧書込期間Ｔwvmにおいて、選択ラインＬs1にハイレベルの選択信号Ｖse1を印加するとともに、選択ラインＬs2〜Ｌsnにローレベルの選択信号Ｖse2〜Ｖsenを印加した状態で、各列のデータラインＬｄに一斉に検査用電圧Ｖmeasを印加する。これにより、１行目の画素ＰＩＸにおいて、画素駆動回路ＤＣのキャパシタＣｓに検査用電圧Ｖmeasに応じた電荷が充電されて電圧書込が行われる。
【００６７】
次いで、電流測定期間Ｔrimにおいて、選択ラインＬs1、Ｌs3〜Ｌsnにローレベルの選択信号Ｖse1を印加するとともに、選択ラインＬs2にハイレベルの選択信号Ｖse2を印加する。これにより、１行目の画素ＰＩＸにおいて、画素駆動回路ＤＣの駆動トランジスタであるトランジスタＴｒ１３に、検査用電圧Ｖmeasに応じた電流値の電流Ｉmeas（ドレイン電流Ｉds）が流れる。この電流Ｉmeasを各データラインＬｄに接続された電流計１４５ｃで個別に測定することにより、各画素ＰＩＸの駆動トランジスタの素子特性に関するパラメータ（上述したしきい値電圧Ｖth、移動度を含む定数β）を取得する。取得されたパラメータは、各画素ＰＩＸに対応する記憶領域を備えた記憶回路（図示を省略）に、補正パラメータとして格納される。
【００６８】
そして、以上の一連の動作を２行目以降の画素ＰＩＸについても、順次繰り返し実行することにより、表示パネル１１０に配列された全ての画素ＰＩＸについて、補正パラメータが取得される。
【００６９】
なお、本実施形態においては、補正パラメータ取得動作として、各行の画素ＰＩＸに対する電圧書込動作及び電流測定動作を実行する前に、全ての画素ＰＩＸに対して一回のみ初期化動作を実行する場合について説明したが、本発明はこれに限定されるものではない。すなわち、各行の画素ＰＩＸに対する電圧書込動作及び電流測定動作を実行する前に、毎回初期化動作を実行するものであってもよい。これによれば、初期化動作、電圧書込動作及び電流測定動作からなる一連の動作が、各行ごとに実行されるので、前の行の画素ＰＩＸに対する電圧書込動作及び電流測定動作の際に、各列のデータラインＬｄや画素ＰＩＸに残留している電荷による電位の影響を抑制することができる。
【００７０】
（表示動作）
次に、本実施形態に係る表示装置における表示動作について説明する。
図１１は、本実施形態に係る表示装置における表示動作を示すタイミングチャートである。図１２は、本実施形態に係る表示装置におけるリセット動作を示す動作概念図であり、図１３は、本実施形態に係る表示装置における書込動作を示す動作概念図であり、図１４は、本実施形態に係る表示装置における発光動作を示す動作概念図である。ここで、図１２〜図１４おいては、データドライバ１４０の構成として、図示の都合上、Ｄ／Ａコンバータ１４４と出力回路１４５のみを示す。
【００７１】
本実施形態に係る表示動作においては、図１１に示すように、所定の表示期間（１処理サイクル期間）Ｔcycに、画素ＰＩＸをリセットするリセット期間Ｔrstと、画像データに応じた階調電圧Ｖdataを書き込む書込期間Ｔwrtと、発光素子を所定の輝度階調で発光させる発光期間Ｔemと、を含むように設定されている（Ｔcyc≧Ｔrst＋Ｔwrt＋Ｔem）。
【００７２】
まず、リセット期間Ｔrstにおいては、図１１、図１２（ａ）に示すように、画素ＰＩＸに接続された電源ラインＬｃ及び共通電極Ｅａに各々ローレベル（接地電位ＧＮＤ）の電源電圧Ｖsc及びＶａを印加した状態で、選択ラインＬseaにローレベル（非選択レベル）の選択信号Ｖseaを印加するとともに、選択ラインＬsebにハイレベル（選択レベル）の選択信号Ｖsebを印加する。また、このタイミングに同期して、図１１、図１２（ａ）に示すように、データドライバ１４０の出力回路１４５に設けられた切換スイッチ１４５ａを接点Ｎｂに切換接続することにより、データラインＬｄを接地電位ＧＮＤ（リセット電圧）に設定する。
【００７３】
これにより、図１２（ａ）、（ｂ）に示すように、画素ＰＩＸの画素駆動回路ＤＣに設けられたトランジスタＴｒ１２がオン動作して、トランジスタＴｒ１３のドレイン端子（接点Ｎ１２；有機ＥＬ素子ＯＥＬのカソード）が接地電位ＧＮＤに設定されるとともに、トランジスタＴｒ１３のソース端子及び有機ＥＬ素子ＯＥＬのアノードも接地電位ＧＮＤに設定される。すなわち、トランジスタＴｒ１３のドレイン端子の電位が接地電位ＧＮＤにリセットされる。なお、このとき、トランジスタＴｒ１３はオフ状態となり、また、有機ＥＬ素子ＯＥＬには電流が流れないため発光動作しない。なお、このリセット期間ＴrstによるトランジスタＴｒ１３のドレイン端子の電位を接地電位ＧＮＤにリセットする動作は必ず必要な動作ではなく、この動作を行わなくても通常は問題なく次の書込期間Ｔwrtにおける動作を行うことができるため、このリセット期間Ｔrstを設けないようにしてもよい。しかしながら、トランジスタＴｒ１３のドレイン端子の電位を接地電位ＧＮＤにリセットＴｒ１２することにより、トランジスタＴｒ１３を確実にオフ状態とすることができるとともに、有機ＥＬ素子ＯＥＬを確実に非発光状態とすることができるため、この動作を行うことが好ましい。
【００７４】
次いで、書込期間Ｔwrtにおいては、図１１、図１３（ａ）に示すように、電源ラインＬｃ及び共通電極Ｅａにローレベル（接地電位ＧＮＤ）の電源電圧Ｖsc及びＶａを印加した状態で、選択ラインＬseaにハイレベル（選択レベル）の選択信号Ｖseaを印加するとともに、選択ラインＬsebにローレベル（非選択レベル）の選択信号Ｖsebを印加する。また、このタイミングに同期して、図１１、図１３（ａ）に示すように、データドライバ１４０の切換スイッチ１４５ａを接点Ｎａに切換接続することにより、データラインＬｄに対して画像データに対応した階調電圧Ｖdataを印加する。
【００７５】
これにより、図１３（ａ）、（ｂ）に示すように、画素ＰＩＸの画素駆動回路ＤＣに設けられたトランジスタＴｒ１１がオン動作して、トランジスタＴｒ１３のゲート端子（接点Ｎ１１）に階調電圧Ｖdataが印加される。また、トランジスタＴｒ１２がオフ動作して、トランジスタＴｒ１３のドレイン端子（接点Ｎ１２）に印加された接地電位ＧＮＤが保持される。また、トランジスタＴｒ１３のソース端子及び有機ＥＬ素子ＯＥＬのアノードは接地電位ＧＮＤに設定される。したがって、トランジスタＴｒ１３のゲート・ソース間に接続されたキャパシタＣｓに階調電圧Ｖdataに応じた電荷が蓄積されて画素ＰＩＸに階調電圧Ｖdataが書き込まれる。
【００７６】
ここで、階調電圧Ｖdataは、表示信号生成回路１６０から供給される画像データに基づいて、当該画素ＰＩＸのトランジスタＴｒ１３が本来流すべき電流値の電流（発光駆動電流）となるように、上述した補正パラメータ取得動作において予め取得した補正パラメータを使って補正した書込電圧である。具体的には、階調電圧Ｖdataは、画像データの輝度階調値に応じて生成される電圧成分に、上述した補正パラメータ取得動作により取得された、当該画素ＰＩＸのトランジスタＴｒ１３の特性変化に応じた補正パラメータに基づいて生成される電圧成分（補正電圧成分）を加味した電圧値に設定されている。
なお、このとき、トランジスタＴｒ１３はオン動作するが、ソース・ドレイン間に電位差が生じていないため電流は流れず、また、有機ＥＬ素子ＯＥＬにも電流が流れないため発光動作しない。
【００７７】
次いで、発光期間Ｔemにおいては、図１１、図１４（ａ）に示すように、選択ラインＬsea及びＬsebにローレベル（非選択レベル）の選択信号Ｖsea、Ｖsebを印加した状態で、共通電極Ｅａにハイレベルの電源電圧Ｖａを印加し、電源ラインＬｃにローレベルの電源電圧Ｖsc（接地電位ＧＮＤ）を印加する。また、このタイミングに同期して、図１１、図１４（ａ）に示すように、データドライバ１４０の切換スイッチ１４５ａを接点Ｎｂに切換接続することにより、データラインＬｄを接地電位ＧＮＤに設定する。
【００７８】
これにより、図１４（ａ）、（ｂ）に示すように、画素ＰＩＸの画素駆動回路ＤＣに設けられたトランジスタＴｒ１１、Ｔｒ１２がオフ動作して、トランジスタＴｒ１３のゲート端子（接点Ｎ１１）に印加された電圧Ｖdataが保持される。また、トランジスタＴｒ１３のソース端子にはローレベルの電源電圧Ｖscが印加され、有機ＥＬ素子ＯＥＬのアノードにはハイレベルの電源電圧Ｖａが印加される。
【００７９】
したがって、キャパシタＣｓに充電された電圧ＶdataによりトランジスタＴｒ１３のゲート・ソース間電圧Ｖgsが保持されて、トランジスタＴｒ１３がオン動作し、また、有機ＥＬ素子ＯＥＬに順バイアスが印加されるため、共通電極Ｅａから有機ＥＬ素子ＯＥＬ、接点Ｎ１２、トランジスタＴｒ１３を介して、電源ラインＬｃ方向に発光駆動電流Ｉemが流れる。ここで、発光駆動電流Ｉemは、上記書込動作において画素ＰＩＸに書き込まれ、トランジスタＴｒ１３のゲート・ソース間に保持された階調電圧Ｖdataの電圧値に基づいて規定されるので、トランジスタＴｒ１３の特性変化を補償した、画像データに応じた本来の電流値を有している。これにより、有機ＥＬ素子ＯＥＬは、駆動トランジスタであるトランジスタＴｒ１３の特性変化の状態に関わらず、画像データに応じた本来の輝度階調で発光動作する。
【００８０】
次に、画素ＰＩＸが２次元配列された表示パネル１１０において、上述した表示動作を実行する場合について説明する。
図１５は、本実施形態に係る表示動作を、画素が２次元配列された表示パネルに適用した場合のタイミングチャートである。
【００８１】
画素ＰＩＸが２次元配列された図２に示す表示パネル１１０において、表示動作を実行する場合には、図１５に示すように、画像データ書込期間Ｔdwtに、リセット動作及び書込動作からなる一連の動作を、表示パネル１１０の１行目からｎ／２行目の画素ＰＩＸに対して順次実行する。
【００８２】
まず、リセット期間Ｔrstにおいて、選択ラインＬs1、Ｌs3〜Ｌsnにローレベルの選択信号Ｖse1、Ｖse3〜Ｖsenを印加するとともに、選択ラインＬs2にハイレベルの選択信号Ｖse2を印加し、電源ラインＬｃ、共通電極Ｅａを接地電位ＧＮＤに設定した状態で、各列のデータラインＬｄを一斉に接地電位ＧＮＤに設定する。これにより、１行目の各画素ＰＩＸにおいて、画素駆動回路ＤＣの接点Ｎ１２（トランジスタＴｒ１３のドレイン端子、又は、有機ＥＬ素子ＯＥＬのカソード）の電位が接地電位ＧＮＤにリセットされる。
【００８３】
次いで、書込期間Ｔwrtにおいて、選択ラインＬs1にハイレベルの選択信号Ｖse1を印加するとともに、選択ラインＬs2〜Ｌsnにローレベルの選択信号Ｖse2〜Ｖsenを印加した状態で、各列のデータラインＬｄに画像データに応じた階調電圧Ｖdataを印加する。これにより、１行目の画素ＰＩＸにおいて、画素駆動回路ＤＣのキャパシタＣｓに階調電圧Ｖdataに応じた電荷が充電されて画像データが書き込まれる。
【００８４】
そして、以上の１行目の画素ＰＩＸに対する一連の動作を、図１５に示すように、２行目以降の画素ＰＩＸについても順次繰り返し実行することにより、表示パネル１１０に配列された全ての画素ＰＩＸについて、上述した補正パラメータ取得動作において取得されたパラメータに基づいて補正された、画像データに応じた階調電圧Ｖdataが書き込まれる。
【００８５】
次いで、図１５に示すように、全画素一括発光期間Ｔaemにおいて、選択ラインＬs1〜Ｌsnにローレベルの選択信号Ｖse1〜Ｖsenを印加した状態で、共通電極Ｅａにハイレベルの電源電圧Ｖａを印加する。これにより、表示パネル１１０の全ての行の画素ＰＩＸにおいて、画素駆動回路ＤＣの駆動トランジスタであるトランジスタＴｒ１３に、階調電圧Ｖdataに応じた電流値の発光駆動電流Ｉem（ドレイン電流Ｉds）が流れ、各画素ＰＩＸの有機ＥＬ素子ＯＥＬが画像データに応じた本来の輝度階調で発光動作して、表示パネル１１０に所望の画像情報が表示される。
【００８６】
以上説明したように、本実施形態に係る表示装置（発光装置）及びその駆動制御方法によれば、各画素ＰＩＸへの画像データの書き込み時に、各画素ＰＩＸへの画素駆動回路ＤＣに設けられる駆動トランジスタ（トランジスタＴｒ１３）の素子特性（しきい値電圧）の変化に応じて補正された階調電圧Ｖdataを書き込むことができる。これにより、駆動トランジスタ（トランジスタＴｒ１３）の特性変化の状態に関わらず、画像データに応じた本来の電流値の発光駆動電流Ｉemを有機ＥＬ素子ＯＥＬに流すことができるので、画像データに応じた適切な輝度階調で発光動作させることができ、良好かつ均質な画質を実現することができる。
【００８７】
また、本実施形態に係る表示装置に適用される画素ＰＩＸにおいては、画素駆動回路ＤＣに設けられる駆動トランジスタ（トランジスタＴｒ１３）に対して、有機ＥＬ素子ＯＥＬのカソードが接続された回路構成を有しており、駆動トランジスタ（又は画素駆動回路ＤＣ）に有機ＥＬ素子ＯＥＬのアノードが接続されたソースフォロア構成を有していない。ここで、上述した画素駆動回路ＤＣに設けられるトランジスタＴｒ１３がソースフォロア構成を有している場合、トランジスタＴｒ１３のゲート・ソース間電圧Ｖgsは、ソース端子に接続される容量成分の影響を受けるため、上述したような表示装置の駆動制御方法（表示動作）において、画像データを各画素ＰＩＸに書き込む際に、データドライバ１４０から書き込まれる電圧は、上記容量成分に関わる他の設計要素の影響を受けるため、画像データ（階調電圧Ｖdata）に応じた適切な電圧値を書き込むことができず、画質の劣化を招く可能性がある。
【００８８】
これに対して、本実施形態に係る表示装置においては、駆動トランジスタであるトランジスタＴｒ１３に有機ＥＬ素子ＯＥＬのカソードが接続された回路構成を有しているので、トランジスタＴｒ１３のゲート・ソース間電圧Ｖgsは、ソース端子に接続される容量成分の影響を受けることがなく、画像データ（階調電圧Ｖdata）に略一致した適切な電圧値を書き込むことができる。したがって、良好かつ均質な画質を実現することができる。
【００８９】
また、本実施形態に係る表示装置及びその駆動制御方法によれば、画素ＰＩＸの画素駆動回路ＤＣに設けられるトランジスタやキャパシタの数を大幅に増加することなく、駆動トランジスタであるトランジスタＴｒ１３の素子特性の変化に対応した電流Ｉmeasを、簡易な方法で測定して画素ＰＩＸごとに補正パラメータを取得することができる。
【００９０】
さらに、本実施形態に係る表示装置及びその駆動制御方法によれば、補正パラメータ取得動作において、データラインＬｄに印加される検査用電圧Ｖmeasは、各画素ＰＩＸのキャパシタＣｓに直接印加されて充電され、また、データドライバ１４０の電流計１４５ｃにより測定される電流Ｉmeasは、トランジスタＴｒ１３の飽和電流、すなわち定電流である。したがって、選択トランジスタであるトランジスタＴｒ１１やＴｒ１２のオン抵抗や配線抵抗のばらつきに影響されることがないので、トランジスタＴｒ１３の特性変化を十分に反映した、精度の高い補正パラメータを取得することができる。
【００９１】
＜第２の実施形態＞
（表示装置）
次に、本発明に係る表示装置の第２の実施形態について、図面を参照して説明する。
図１６は、第２の実施形態に係る表示装置に適用される表示パネル及びその周辺回路（駆動回路）の一例を示す要部構成図である。ここで、表示装置の全体構成は、上述した第１の実施形態（図１参照）と同等であるので説明を省略する。
【００９２】
本実施形態に係る表示パネル１１０は、図１６に示すように、行方向（図面左右方向）及び列方向（図面上下方向）に２次元配列（ｎ／２行×ｍ列）された複数の画素ＰＩＸと、行方向に配列された画素ＰＩＸに接続するように配設された複数の選択ラインＬs1〜Ｌsnと、全画素ＰＩＸに共通に接続するように配設された電源ラインＬｃと、全画素ＰＩＸに共通に設けられた共通電極Ｅａと、列方向に配列された画素ＰＩＸに接続するように配設された複数のデータラインＬd1〜Ｌdm+1と、を有している。ここで、各行の画素ＰＩＸには、各々、一対の選択ライン（第１及び第２の選択ライン）Ｌs1及びＬs2、Ｌs3及びＬs4、・・・Ｌsn-1及びＬsnが接続されている。また、各列の画素ＰＩＸには、隣接する列間でデータラインを共有するように、各々、一対のデータライン（第１及び第２のデータライン）Ｌd1及びＬd2、Ｌd2及びＬd3、Ｌd3及びＬd4、・・・Ｌdm及びＬdm+1が接続されている。
【００９３】
なお、本実施形態においてデータラインＬdm+1は、階調電圧Ｖdataが印加される必要はなく、いわゆるデータラインとしての機能を果たすものではない（すなわち、擬似的なデータラインである）が、説明の都合上、データラインと表記する。また、本実施形態に係る選択ドライバ１２０及び電源ドライバ１３０は、上述した第１の実施形態（図２〜図４参照）と同等であるので説明を省略する。
【００９４】
データドライバ１４０は、上述した第１の実施形態（図３、図４参照）と同等の構成を有し、表示パネル１１０に配列された画素ＰＩＸの列数よりも１列多く配設された各データラインＬd1〜Ｌdm+1に接続されている。ここで、各列のデータラインＬd1〜Ｌdmは、図３、図４に示したように、出力回路１４５に接続され、各データラインＬd1〜Ｌdmが切換スイッチ（接続切換回路）１４５ａを介して、Ｄ／Ａコンバータ１４４の出力を駆動するフォロワアンプ１４５ｂ、電流計１４５ｃ又は接地電位ＧＮＤのいずれかに切換接続される。また、ｍ列目の画素ＰＩＸに接続されるデータラインＬdm+1は、出力回路１４５の切換スイッチ１４５ａを介して電流計（電流測定回路）１４５ｃ又は接地電位ＧＮＤのいずれかに切換接続され、フォロワアンプ１４５ｂには接続されない。
【００９５】
そして、詳しくは後述するが、データドライバ１４０は、表示動作時には、画像データに応じた階調信号（階調電圧Ｖdata）を生成して、データラインＬd1〜Ｌdmを介して各列の画素ＰＩＸへ供給する。また、データドライバ１４０は、補正パラメータ取得動作時には、特定の電圧値の検査用電圧Ｖmeasを生成して、データラインＬd1〜Ｌdmを介して各列の画素ＰＩＸへ供給するとともに、データラインＬd2〜Ｌdm+1を介して各列の画素ＰＩＸに流れる電流Ｉmeasを測定する。データラインＬdm+1は、出力回路１４５により接地電位ＧＮＤに設定される状態と、電流計１４５ｃに接続される状態と、のいずれかに選択的に切り換え接続される。
【００９６】
システムコントローラ１５０は、選択ドライバ１２０及び電源ドライバ１３０、データドライバ１４０の各々に対して、選択制御信号及び電源制御信号、データ制御信号を出力することにより、各ドライバを所定のタイミングで動作させて、各画素ＰＩＸにおける駆動制御動作（後述する補正パラメータ取得動作、及び、発光動作）を連続的に実行させて、映像信号に基づく所定の画像情報を表示パネル１１０に表示させる制御を行う。
【００９７】
（画素）
次に、本実施形態に係る表示パネルに配列される画素について具体的に説明する。
図１７は、本実施形態に係る表示パネルに適用される画素（画素駆動回路及び発光素子）の一実施形態を示す回路構成図である。ここでは、説明の都合上、隣接する２列分の画素ＰＩＸ１、ＰＩＸ２を示し、画素ＰＩＸ１の構成について説明する。また、上述した第１の実施形態と同等の構成については同等の符号を付してその説明を簡略化又は省略する。
【００９８】
本実施形態に係る表示パネル１１０に配列される画素ＰＩＸ１は、図１７に示すように、画素駆動回路ＤＣと、有機ＥＬ素子（電流駆動型の発光素子）ＯＥＬと、を備えた構成を有している。画素駆動回路ＤＣは、具体的には、トランジスタＴｒ２１〜Ｔｒ２３と、キャパシタＣｓとを備えている。トランジスタＴｒ２１〜Ｔｒ２３はゲート端子、ドレイン端子及びソース端子を有し、ドレイン端子とソース端子間に形成される電流路を有するものである。トランジスタ（第１の選択トランジスタ）Ｔｒ２１は、ゲート端子が選択ラインＬsea（Ｌs1、Ｌs3、・・・Ｌsn-1；第１の選択ライン）に接続され、また、ドレイン端子がデータライン（第１のデータライン）Ｌdaに接続され、また、ソース端子が接点Ｎ２１に接続されている。トランジスタ（第２の選択トランジスタ）Ｔｒ２２は、ゲート端子が選択ラインＬseb（Ｌs2、Ｌs4、・・・Ｌsn；第２の選択ライン）に接続され、また、ドレイン端子が隣接する列のデータライン（第２のデータライン）Ｌdbに接続され、また、ソース端子が接点Ｎ２２に接続されている。トランジスタ（駆動トランジスタ）Ｔｒ２３は、ゲート端子が接点Ｎ２１に接続され、ソース端子が電源ラインＬｃに接続され、ドレイン端子が接点Ｎ２２に接続されている。すなわち、本実施形態においては、１個の画素ＰＩＸ１に対して、一対（２本）の選択ラインＬsea及びＬseb、並びに、一対（２本）のデータラインＬda及びＬdbが接続されている。ここで、一対のデータラインＬda及びＬdbのうち、一方のデータラインＬdbは、隣接する列の画素ＰＩＸ２にも接続されて、隣接する列相互で兼用されている。
【００９９】
また、キャパシタ（保持容量）Ｃｓは、トランジスタＴｒ２３のゲート端子（接点Ｎ２１）及びソース端子間に接続されている。有機ＥＬ素子ＯＥＬは、アノード（アノード電極）が共通電極Ｅａに接続され、カソード（カソード電極）が上記画素駆動回路ＤＣの接点Ｎ２２に接続されている。
【０１００】
（表示装置の駆動制御方法）
次に、本実施形態に係る表示装置における駆動制御方法について説明する。ここでは、説明の都合上、図１７に示した隣接する２列分の画素ＰＩＸ１、ＰＩＸ２を用いて、画素ＰＩＸ１における駆動制御動作について説明する。
本実施形態においても、上述した第１の実施形態に係る表示装置１００の駆動制御動作と同様に、補正パラメータ取得動作と、表示動作と、を有している。
【０１０１】
以下、各動作について具体的に説明する。
（補正パラメータ取得動作）
図１８は、本実施形態に係る表示装置における補正パラメータ取得動作を示すタイミングチャートである。図１９は、本実施形態に係る表示装置における初期化動作を示す動作概念図であり、図２０は、本実施形態に係る表示装置における電圧書込・電流測定動作を示す動作概念図である。ここで、図１９、図２０おいては、データドライバ１４０の構成として、図示の都合上、Ｄ／Ａコンバータ１４４と出力回路１４５のみを示す。
【０１０２】
本実施形態に係る補正パラメータ取得動作においては、図１８（ａ）に示すように、所定の補正パラメータ取得期間Ｔcrpに、画素ＰＩＸ１を初期化する初期化期間Ｔiniと、補正パラメータ取得用の検査用電圧Ｖmeasを書き込むと同時に、画素ＰＩＸ１に流れる電流Ｉmeasを測定する電圧書込・電流測定期間Ｔwrと、を含むように設定されている。
【０１０３】
まず、初期化期間Ｔiniにおいては、図１８（ａ）、図１９に示すように、画素ＰＩＸ１に接続された選択ラインＬsea及びＬsebに対して、選択ドライバ１２０から各々ハイレベル（選択レベル）の選択信号Ｖsea及びＶsebを印加し、また、電源ラインＬｃ及び共通電極Ｅａに対して、電源ドライバ１３０から各々ローレベル（接地電位ＧＮＤ）の電源電圧Ｖsc及びＶａを印加する。また、このタイミングに同期して、図１８（ａ）、図１９に示すように、データドライバ１４０の出力回路１４５に設けられた切換スイッチ１４５ａを接点Ｎｂに切換接続することにより、少なくとも初期化対象になっている画素ＰＩＸ１の列のデータラインＬda及び隣接する列のデータラインＬdbに対して接地電位ＧＮＤ（初期化電圧）を印加する。
【０１０４】
これにより、図１９に示すように、画素ＰＩＸ１の画素駆動回路ＤＣに設けられたトランジスタＴｒ２１、Ｔｒ２２がオン動作して、トランジスタＴｒ２３のゲート端子（接点Ｎ２１）及びドレイン端子（接点Ｎ２２；有機ＥＬ素子ＯＥＬのカソード）が接地電位ＧＮＤに設定されるとともに、トランジスタＴｒ２３のソース端子及び有機ＥＬ素子ＯＥＬのアノードも接地電位ＧＮＤに設定される。したがって、トランジスタＴｒ２３のゲート・ソース間に接続されたキャパシタＣｓに蓄積された電荷が放電されて画素ＰＩＸ１が初期化される。なお、このとき、トランジスタＴｒ２３はオフ状態となり、また、有機ＥＬ素子ＯＥＬには電流が流れないため発光動作しない。なお、この初期化期間ＴiniにおけるトランジスタＴｒ２２をオン動作してトランジスタＴｒ２３のドレイン端子を接地電位ＧＮＤに設定する動作は必ず必要な動作ではなく、この動作を行わなくても通常は問題なく画素ＰＩＸ１を初期化することができるため、この動作を行わないようにしてもよい。しかしながら、トランジスタアレイＴｒ２２をオン動作してトランジスタＴｒ２３のドレイン端子を接地電位ＧＮＤに設定することにより、キャパシタＣｓに蓄積された電荷を確実に放電して画素ＰＩＸ１を確実に初期化することができるため、この動作を行うことが好ましい。
【０１０５】
次いで、電圧書込・電流測定期間Ｔwrにおいては、図１８（ａ）、図２０に示すように、選択ラインＬsea及びＬsebにハイレベル（選択レベル）の選択信号Ｖsea及びＶsebを印加する。また、このタイミングに同期して、電圧書込・電流測定対象になっている画素ＰＩＸ１の列のデータラインＬdaに接続された切換スイッチ１４５ａを接点Ｎａに切換接続して、データラインＬdaに対して補正パラメータ取得用の特定の電圧値の検査用電圧Ｖmeasを印加するとともに、隣接する列の画素ＰＩＸ２のデータラインＬdbに接続された切換スイッチ１４５ａを接点Ｎｃに切換接続して、データラインＬdbと電流計１４５ｃを接続する。そして、この状態で、電源ラインＬｃ及び共通電極Ｅａにローレベル（接地電位ＧＮＤ）の電源電圧Ｖsc、Ｖａを印加する。
【０１０６】
これにより、図２０に示すように、画素ＰＩＸ１の画素駆動回路ＤＣに設けられたトランジスタＴｒ２１がオン動作して、トランジスタＴｒ２３のゲート端子（接点Ｎ２１）に検査用電圧Ｖmeasが印加される。また、トランジスタＴｒ２２がオン動作して、トランジスタＴｒ２３のドレイン端子（接点Ｎ２２）がデータラインＬdbを介して電流計１４５ｃに接続され、電流計１４５ｃを介して測定用電源からハイレベルの電圧Ｖbが印加される。また、トランジスタＴｒ２３のソース端子は接地電位ＧＮＤに設定され、有機ＥＬ素子ＯＥＬのアノードも接地電位ＧＮＤに設定される。
【０１０７】
したがって、トランジスタＴｒ２３のゲート・ソース間に接続されたキャパシタＣｓに検査用電圧Ｖmeasに基づく電圧が充電されてゲート・ソース間電圧Ｖgsが保持されることにより、トランジスタＴｒ２３がオン動作し、ドレイン・ソース間に電位差が生じるため、測定用電源から電流計１４５ｃ、データラインＬｄb、トランジスタＴｒ２２、接点Ｎ２２、トランジスタＴｒ２３を介して、電源ラインＬｃ方向に電流Ｉmeasが流れる。この電流Ｉmeasは、データラインＬdbに接続された電流計１４５ｃによりその電流値が測定される。そして、測定された電流Ｉmeasの電流値に基づいて、後述するようにトランジスタＴｒ１３のしきい値電圧Ｖthと移動度を含む定数βの２種類のパラメータを取得して、補正パラメータとして図示を省略した記憶回路（メモリ）に格納する。
【０１０８】
このとき、画素ＰＩＸに検査用電圧Ｖmeasを書き込むことによりトランジスタＴｒ２３のゲート・ソース間に生じる電圧Ｖgsは、検査用電圧Ｖmeasから電流ＩmeasによるトランジスタＴｒ２２のソース・ドレイン間の電圧降下分及びデータラインＬｄｂ等の配線における電圧降下分を合わせたΔＶを差し引いたＶmeas−ΔＶとなる。ここで、測定用電源の電圧Ｖbの電圧値をトランジスタＴｒ２３が飽和領域で動作する電圧値に設定した場合、トランジスタＴｒ２３に流れるドレイン電流Ｉdsは、飽和領域においては次の（２）式のように表すことができる。
Ｉds ＝β（Ｖgs−Ｖth）２      ・・・（２）
【０１０９】
ここで、ゲート・ソース間電圧ＶgsをＶmeas−ΔＶとおくと、次の（３）式のように表される。
Ｉds ＝ Ｉmeas ＝
β（Ｖmeas−ΔＶ−Ｖth）２
＝ β｛Ｖmeas−（ΔＶ＋Ｖth）｝２      ・・・（３）
【０１１０】
この（３）式は、上述した第１の実施形態における（１）式のＶthの項が、見かけ上（ΔＶ＋Ｖth）に変化しただけである。ここで、トランジスタＴｒ２２は補正パラメータ取得動作を行うときにのみオン動作して使用されるものであり、通常の表示動作時にはオフ動作しているものであるから、トランジスタＴｒ２２のソース・ドレイン間の抵抗値は設計値や初期の測定値からの変化は少ない。また、ΔＶに関わる配線部分の抵抗値は設計値から求めることができる。これにより、ΔＶの値は電流Ｉmeasの測定値から求めることができる。したがって、第１の実施形態と同様に、検査用電圧Ｖmeasとして２つの異なる電圧値の第１の検査用電圧Ｖmeas1、第２の検査用電圧Ｖmeas2を印加した場合に、トランジスタＴｒ２３に流れるドレイン電流Ｉds（電流Ｉmeas1、Ｉmeas2）の電流値を測定することにより、トランジスタＴｒ２３のしきい値電圧Ｖthに関連する（ΔＶ＋Ｖth）と移動度を含む定数βの２種類のパラメータを取得することができる。また、このとき、トランジスタＴｒ２３は定電流源として動作するため、トランジスタＴｒ２２のオン抵抗や、配線抵抗の影響を受けることがなく、取得されるパラメータはトランジスタＴｒ２３の特性変化を十分に反映しており、その精度は十分高いものとなる。
【０１１１】
ここで、検査用電圧Ｖmeasとして第１の検査用電圧Ｖmeas1と第２の検査用電圧Ｖmeas2を印加し、対応するドレイン電流Ｉdsの第１の電流Ｉmeas1と第２の電流Ｉmeas2を測定する場合の動作について説明する。図１８（ｂ）は、このときの補正パラメータ取得動作を示すタイミングチャートである。なお、上記の図１８（ａ）に基づいて説明した動作と同じ動作については説明を簡略化又は省略する。
【０１１２】
図１８（ｂ）に示すように、補正パラメータ取得期間Ｔcrpは、画素ＰＩＸ１を初期化する初期化期間Ｔiniと、補正パラメータ取得用の第１の検査用電圧Ｖmeas1を書き込むと同時に、画素ＰＩＸ１に流れる第１の電流Ｉmeas1を測定する第１電圧書込・電流測定期間Ｔwr1と、第２の検査用電圧Ｖmeas2を書き込むと同時に、画素ＰＩＸ１に流れる第２の電流Ｉmeas2を測定する第２電圧書込・電流測定期間Ｔwr2と、を含む。ここで、初期化期間Ｔiniにおける動作は上記の図１８（ａ）における動作と同じであるので説明を省略する。
【０１１３】
次いで、第１電圧書込・電流測定期間Ｔwr1においては、選択ラインＬsea及びＬsebにハイレベル（選択レベル）の選択信号Ｖsea及びＶsebを印加し、データラインＬdaに対して第１の検査用電圧Ｖmeas1を印加するとともに、隣接する列のデータラインＬdbと電流計１４５ｃを接続する。そして、この状態で、電源ラインＬｃ及び共通電極Ｅａにローレベル（接地電位ＧＮＤ）の電源電圧Ｖsc及びＶａを印加する。これによりトランジスタＴｒ２３がオン動作し、測定用電源から電流計１４５ｃ、データラインＬｄ、トランジスタＴｒ２２、接点Ｎ２２、トランジスタＴｒ２３を介して、電源ラインＬｃ方向に流れる第１の電流Ｉmeas1の電流値が電流計１４５ｃにより測定される。
【０１１４】
次いで、第２電圧書込・電流測定期間Ｔwr2においては、選択ラインＬsea及びＬsebにハイレベル（選択レベル）の選択信号Ｖsea及びＶsebを印加し、データラインＬdaに対して第２の検査用電圧Ｖmeas2を印加するとともに、隣接する列のデータラインＬdbと電流計１４５ｃを接続し、電源ラインＬｃ及び共通電極Ｅａにローレベル（接地電位ＧＮＤ）の電源電圧Ｖsc及びＶａを印加する。これによりトランジスタＴｒ２３がオン動作し、測定用電源から電流計１４５ｃ、データラインＬｄ、トランジスタＴｒ２２、接点Ｎ２２、トランジスタＴｒ２３を介して、電源ラインＬｃ方向に流れる第２の電流Ｉmeas2の電流値が電流計１４５ｃにより測定される。
【０１１５】
なお、この電圧書込・電流測定動作においては、電源ラインＬｃにハイレベルの電源電圧Ｖscが印加されることにより、有機ＥＬ素子ＯＥＬに逆バイアスが印加されて電流が流れないため発光動作しない。
【０１１６】
次に、画素ＰＩＸが２次元配列された表示パネル１１０において、上述した補正パラメータ取得動作を実行する場合について説明する。
図２１は、本実施形態に係る補正パラメータ取得動作を、画素が２次元配列された表示パネルに適用した場合のタイミングチャートである。なお、補正パラメータとしてトランジスタＴｒ２３のしきい値電圧Ｖthと移動度を含む定数βの２種類のパラメータを取得する場合、上記の図１８（ｂ）に示したように、補正パラメータ取得期間Ｔcrpは、初期化期間Ｔiniと、第１電圧書込・電流測定期間Ｔwr1、第２電圧書込・電流測定期間Ｔwr2を含むものであるが、便宜上、図２１及び後述の図２２においてはこれを省略して、上記の図１８（ａ）に対応する形で示している。
【０１１７】
画素ＰＩＸが２次元配列された図１６に示す表示パネル１１０において、補正パラメータ取得動作を実行する場合には、図２１に示すように、まず、初期化期間Ｔiniにおいて、表示パネル１１０の全ての行の選択ラインＬs1〜Ｌsnに対してハイレベルの選択信号Ｖse1〜Ｖsenを一斉に印加し、電源ラインＬｃ、共通電極Ｅａに対して接地電位ＧＮＤの電源電圧Ｖsc及びＶａを印加した状態で、各列のデータラインＬd1〜Ｌdm+1を一斉に接地電位ＧＮＤに設定する。これにより、表示パネル１１０に配列された全ての画素ＰＩＸにおいて、画素駆動回路ＤＣのキャパシタＣｓに蓄積された電荷が放電されて初期化が行われる。
【０１１８】
次いで、図２１に示すように、表示パネル１１０の各行において、電圧書込・電流測定動作を、各列の画素ＰＩＸに対して順次実行した後、同様の動作を表示パネル１１０の１行目からｎ／２行目の画素ＰＩＸに対して順次実行する。まず、１行目１列目の画素ＰＩＸに対して、電圧書込・電流測定期間Ｔwr1において、上述したように、選択ラインＬs1及びＬs2にハイレベルの選択信号Ｖse1及びＶse2を印加するとともに、選択ラインＬs3〜Ｌsnにローレベルの選択信号Ｖse3〜Ｖsenを印加した状態で、１列目のデータラインＬd1に検査用電圧Ｖmeasを印加するとともに、隣接する２列目のデータラインＬd2を電流計１４５ｃに接続する。また、３列目以降のデータラインＬd3〜Ｌdmを接地電位ＧＮＤに設定する。
【０１１９】
これにより、１行目１列目の画素ＰＩＸにおいて、画素駆動回路ＤＣのキャパシタＣｓに検査用電圧Ｖmeasに応じた電荷が充電されて電圧書込が行われ、駆動トランジスタであるトランジスタＴｒ２３に、検査用電圧Ｖmeasに応じた電流値の電流Ｉmeas（ドレイン電流Ｉds）が流れる。この電流ＩmeasをデータラインＬd2に接続された電流計１４５ｃで測定することにより、１行目１列目の画素ＰＩＸの駆動トランジスタの素子特性に関するパラメータ（上述したしきい値電圧Ｖthに関連する（ΔＶ＋Ｖth）、移動度を含む定数β）を取得する。取得されたパラメータは、各画素ＰＩＸに対応する記憶領域を備えた記憶回路（図示を省略）に、補正パラメータとして格納される。
【０１２０】
そして、このような１行目１列目の画素ＰＩＸに対する動作を、図２１に示すように、電圧書込・電流測定期間Ｔwr2〜Ｔwrmにおいて、１行目の２列目以降の画素ＰＩＸについても順次繰り返し実行することにより、表示パネル１１０の１行目の各画素ＰＩＸについて、補正パラメータが取得される。さらに、このような１行目の各画素ＰＩＸに対する一連の動作を、２行目以降の各画素ＰＩＸについても同様に順次繰り返し実行することにより、表示パネル１１０に配列された全ての画素ＰＩＸについて、補正パラメータが取得される。
【０１２１】
図２２は、本実施形態に係る補正パラメータ取得動作を、画素が２次元配列された表示パネルに適用した場合の他のタイミングチャートである。
本実施形態においては、補正パラメータ取得動作として、各行各列の画素ＰＩＸに対して個別に電圧書込・電流測定動作を実行する場合について説明したが、本発明はこれに限定されるものではない。
【０１２２】
例えば図２２に示すように、表示パネル１１０に配列された全ての画素ＰＩＸに対して初期化動作を実行した後、まず、電圧書込・電流測定期間Ｔwroにおいて、１行目の奇数列のｍ／２個の画素ＰＩＸ対する電圧書込・電流測定動作を一斉に実行して補正パラメータを取得する。次いで、電圧書込・電流測定期間Ｔwreにおいて、１行目の偶数列のｍ／２個の画素ＰＩＸ対する電圧書込・電流測定動作を一斉に実行して補正パラメータを取得する。
【０１２３】
次いで、図２２に示すように、以上の１行目の各画素ＰＩＸに対する一連の動作を、２行目以降の各画素ＰＩＸについても同様に順次繰り返し実行することにより、表示パネル１１０に配列された全ての画素ＰＩＸについて、補正パラメータが取得される。これによれば、図２１に示した列毎に電圧書込・電流測定動作を行う構成に比べて、電圧書込・電流測定動作に要する時間を大幅に短縮して、補正パラメータ取得動作を迅速に実行することができる。
【０１２４】
（表示動作）
次に、本実施形態に係る表示装置における表示動作について説明する。
図２３は、本実施形態に係る表示装置における表示動作を示すタイミングチャートである。図２４は、本実施形態に係る表示装置におけるリセット動作を示す動作概念図であり、図２５は、本実施形態に係る表示装置における書込動作を示す動作概念図であり、図２６は、本実施形態に係る表示装置における発光動作を示す動作概念図である。ここで、図２４〜図２６おいては、データドライバ１４０の構成として、図示の都合上、Ｄ／Ａコンバータ１４４と出力回路１４５のみを示す。また、上述した第１の実施形態と同等の表示動作についてはその説明を簡略化する。
【０１２５】
本実施形態に係る表示動作は、上述した第１の実施形態と同様に、図２３に示すように、所定の表示期間（１処理サイクル期間）Ｔcycが、リセット期間Ｔrstと、書込期間Ｔwrtと、発光期間Ｔemと、を含むように設定されている（Ｔcyc≧Ｔrst＋Ｔwrt＋Ｔem）。
まず、リセット期間Ｔrstにおいては、図２３、図２４に示すように、画素ＰＩＸ１に接続された電源ラインＬｃ及び共通電極Ｅａに各々ローレベル（接地電位ＧＮＤ）の電源電圧Ｖsc及びＶａを印加した状態で、選択ラインＬseaにローレベル（非選択レベル）の選択信号Ｖseaを印加するとともに、選択ラインＬsebにハイレベル（選択レベル）の選択信号Ｖsebを印加する。また、このタイミングに同期して、図２３、図２４に示すように、データドライバ１４０の出力回路１４５に設けられた切換スイッチ１４５ａを接点Ｎｂに切換接続することにより、少なくともリセット対象になっている画素ＰＩＸ１の列のデータラインＬda及び隣接する列のデータラインＬdbに対して接地電位ＧＮＤ（リセット電圧）を印加する。
【０１２６】
これにより、図２４に示すように、画素ＰＩＸ１の画素駆動回路ＤＣに設けられたトランジスタＴｒ２２がオン動作して、トランジスタＴｒ２３のドレイン端子（接点Ｎ２２；有機ＥＬ素子ＯＥＬのカソード）が接地電位ＧＮＤに設定されるとともに、トランジスタＴｒ２３のソース端子及び有機ＥＬ素子ＯＥＬのアノードも接地電位ＧＮＤに設定される。すなわち、トランジスタＴｒ２３のドレイン端子の電位が接地電位ＧＮＤにリセットされる。なお、このとき、トランジスタＴｒ２３はオフ状態となり、また、有機ＥＬ素子ＯＥＬには電流が流れないため発光動作しない。
【０１２７】
次いで、書込期間Ｔwrtにおいては、図２３、図２５に示すように、電源ラインＬｃ及び共通電極Ｅａにローレベル（接地電位ＧＮＤ）の電源電圧Ｖsc及びＶａを印加した状態で、選択ラインＬseaにハイレベル（選択レベル）の選択信号Ｖseaを印加するとともに、選択ラインＬsebにローレベル（非選択レベル）の選択信号Ｖsebを印加する。また、このタイミングに同期して、図２３、図２５に示すように、少なくとも書込対象になっている画素ＰＩＸ１の列のデータラインＬdaに接続された切換スイッチ１４５ａを接点Ｎａに切換接続して、データラインＬdaに対して画像データに対応した階調電圧Ｖdataを印加する。
【０１２８】
これにより、図２５に示すように、画素ＰＩＸ１の画素駆動回路ＤＣに設けられたトランジスタＴｒ２１がオン動作して、トランジスタＴｒ２３のゲート端子（接点Ｎ２１）に階調電圧Ｖdataが印加される。また、トランジスタＴｒ２２がオフ動作して、トランジスタＴｒ２３のドレイン端子（接点Ｎ２２）に印加された接地電位ＧＮＤが保持される。また、トランジスタＴｒ２３のソース端子及び有機ＥＬ素子ＯＥＬのアノードは接地電位ＧＮＤに設定される。したがって、トランジスタＴｒ２３のゲート・ソース間に接続されたキャパシタＣｓに階調電圧Ｖdataに応じた電荷が蓄積されて画素ＰＩＸに階調電圧Ｖdataが書き込まれる。
【０１２９】
ここで、階調電圧Ｖdataは、表示信号生成回路１６０から供給される画像データに基づいて、当該画素ＰＩＸ１のトランジスタＴｒ２３が本来流すべき電流値の電流（発光駆動電流）となるように、上述した補正パラメータ取得動作において予め取得した補正パラメータを使って補正した書込電圧である。具体的には、階調電圧Ｖdataは、画像データの輝度階調値に応じて生成される電圧成分に、上述した補正パラメータ取得動作により取得された、当該画素ＰＩＸ１のトランジスタＴｒ２３の特性変化に応じた補正パラメータに基づいて生成される電圧成分（補正電圧成分）を加味した電圧値に設定されている。
なお、このとき、トランジスタＴｒ２３はオン動作するが、ソース・ドレイン間に電位差が生じていないため電流は流れず、また、有機ＥＬ素子ＯＥＬにも電流が流れないため発光動作しない。
【０１３０】
次いで、発光期間Ｔemにおいては、図２３、図２６に示すように、選択ラインＬsea及びＬsebにローレベル（非選択レベル）の選択信号Ｖsea、Ｖsebを印加した状態で、共通電極Ｅａにハイレベルの電源電圧Ｖａを印加し、電源ラインＬｃにローレベルの電源電圧Ｖsc（接地電位ＧＮＤ）を印加する。また、このタイミングに同期して、図２３、図２６に示すように、データドライバ１４０の切換スイッチ１４５ａを接点Ｎｂに切換接続することにより、データラインＬdaを接地電位ＧＮＤに設定する。
【０１３１】
これにより、図２６に示すように、画素ＰＩＸ１の画素駆動回路ＤＣに設けられたトランジスタＴｒ２１、Ｔｒ２２がオフ動作して、トランジスタＴｒ２３のゲート端子（接点Ｎ２１）に印加された電圧Ｖdataが保持される。また、トランジスタＴｒ２３のソース端子にはローレベルの電源電圧Ｖscが印加され、有機ＥＬ素子ＯＥＬのアノードにはハイレベルの電源電圧Ｖsaが印加される。したがって、キャパシタＣｓに充電された電圧ＶdataによりトランジスタＴｒ２３のゲート・ソース間電圧Ｖgsが保持されて、トランジスタＴｒ２３がオン動作し、また、有機ＥＬ素子ＯＥＬに順バイアスが印加されるため、共通電極Ｅａから有機ＥＬ素子ＯＥＬ、接点Ｎ２２、トランジスタＴｒ２３を介して、電源ラインＬｃ方向に発光駆動電流Ｉemが流れる。ここで、発光駆動電流Ｉemは、上記書込動作において画素ＰＩＸ１に書き込まれ、トランジスタＴｒ２３のゲート・ソース間に保持された階調電圧Ｖdataの電圧値に基づいて規定されるので、トランジスタＴｒ２３の特性変化を補償した、画像データに応じた本来の電流値を有している。これにより、有機ＥＬ素子ＯＥＬは、駆動トランジスタであるトランジスタＴｒ２３の特性変化の状態に関わらず、画像データに応じた本来の輝度階調で発光動作する。
【０１３２】
次に、画素ＰＩＸが２次元配列された表示パネル１１０において、上述した表示動作を実行する場合について説明する。
図２７は、本実施形態に係る表示動作を、画素が２次元配列された表示パネルに適用した場合のタイミングチャートである。ここで、上述した第１の実施形態と同等の表示動作についてはその説明を簡略化する。
【０１３３】
画素ＰＩＸが２次元配列された図１６に示す表示パネル１１０において、表示動作を実行する場合には、図２７に示すように、画像データ書込期間Ｔdwtに、リセット動作及び書込動作からなる一連の動作を、表示パネル１１０の１行目からｎ／２行目の画素ＰＩＸに対して順次実行する。
【０１３４】
まず、リセット期間Ｔrstにおいて、選択ラインＬs1、Ｌs3〜Ｌsnにローレベルの選択信号Ｖse1、Ｖse3〜Ｖsenを印加するとともに、選択ラインＬs2にハイレベルの選択信号Ｖse2を印加し、電源ラインＬｃ、共通電極Ｅａを接地電位ＧＮＤに設定した状態で、各列のデータラインＬd1〜Ｌdm及びデータラインＬdm+1を一斉に接地電位ＧＮＤに設定する。これにより、１行目の各画素ＰＩＸにおいて、画素駆動回路ＤＣの接点Ｎ２２（トランジスタＴｒ２３のドレイン端子、又は、有機ＥＬ素子ＯＥＬのカソード）の電位が接地電位ＧＮＤにリセットされる。
【０１３５】
次いで、書込期間Ｔwrtにおいて、選択ラインＬs1にハイレベルの選択信号Ｖse1を印加するとともに、選択ラインＬs2〜Ｌsnにローレベルの選択信号Ｖse2〜Ｖsenを印加した状態で、各列のデータラインＬd1〜Ｌdmに画像データに応じた階調電圧Ｖdataを印加する。これにより、１行目の画素ＰＩＸにおいて、画素駆動回路ＤＣのキャパシタＣｓに階調電圧Ｖdataに応じた電荷が充電されて画像データが書き込まれる。
【０１３６】
そして、以上の１行目の画素ＰＩＸに対する一連の動作を、図２７に示すように、２行目以降の画素ＰＩＸについても順次繰り返し実行することにより、表示パネル１１０に配列された全ての画素ＰＩＸについて、上述した補正パラメータ取得動作において取得されたパラメータに基づいて補正された、画像データに応じた階調電圧Ｖdataが書き込まれる。
【０１３７】
次いで、図２７に示すように、全画素一括発光期間Ｔaemにおいて、選択ラインＬs1〜Ｌsnにローレベルの選択信号Ｖse1〜Ｖsenを印加した状態で、共通電極Ｅａにハイレベルの電源電圧Ｖａを印加し、電源ラインＬｃにローレベルの電源電圧Ｖscを印加する。これにより、表示パネル１１０の全ての行の画素ＰＩＸにおいて、画素駆動回路ＤＣの駆動トランジスタであるトランジスタＴｒ２３に、階調電圧Ｖdataに応じた電流値の発光駆動電流Ｉem（ドレイン電流Ｉds）が流れ、各画素ＰＩＸの有機ＥＬ素子ＯＥＬが画像データに応じた本来の輝度階調で発光動作して、表示パネル１１０に所望の画像情報が表示される。
【０１３８】
＜第３の実施形態＞
次に、上記第１及び第２の実施形態における表示装置を電子機器に適用した、第３の実施形態について、図面を参照して説明する。有機ＥＬ素子ＯＥＬからなる発光素子を各画素ＰＩＸに有する表示パネル１１０を備える表示装置１００は、デジタルカメラ、モバイル型のパーソナルコンピュータ、携帯電話等種々の電子機器に適用できるものである。
【０１３９】
図２８は、デジタルカメラの構成を示す斜視図であり、図２９は、モバイル型のパーソナルコンピュータの構成を示す斜視図であり、図３０は、携帯電話の構成を示す図である。
図２８において、デジタルカメラ２００は、本体部２０１と、レンズ部２０２と、操作部２０３と、本実施形態の表示パネル１１０を備える表示装置１００からなる表示部２０４と、シャッターボタン２０５とを備えている。この場合、表示部２０４において、表示パネル１１０の各画素の発光素子が画像データに応じた適切な輝度階調で発光動作して、良好かつ均質な画質を実現することができる。
【０１４０】
また、図２９において、パーソナルコンピュータ２１０は、本体部２１１と、キーボード２１２と、本実施形態の表示パネル１１０を備える表示装置１００からなる表示部２１３とを備えている。この場合でも、表示部２１３において、表示パネル１１０の各画素の発光素子が画像データに応じた適切な輝度階調で発光動作して、良好かつ均質な画質を実現することができる。
【０１４１】
また、図３０において、携帯電話２２０は、操作部２２１と、受話口２２２と、送話口２２３と、本実施形態の表示パネル１１０を備える表示装置１００からなる表示部２２４とを備えている。この場合でも、表示部２２４において、表示パネル１１０の各画素の発光素子が画像データに応じた適切な輝度階調で発光動作して、良好かつ均質な画質を実現することができる。
【０１４２】
以上説明したように、本実施形態に係る表示装置及びその駆動制御方法においても、上述した実施形態と同等の作用効果を得ることができる。
また、上記実施形態においては、本発明を有機ＥＬ素子ＯＥＬからなる発光素子を各画素ＰＩＸに有するパネル１１０を備える表示装置１００に適用した場合について説明したが、本発明はこれに限るものではない。例えば、有機ＥＬ素子ＯＥＬからなる発光素子を有する複数の画素が一方向に配列された発光素子アレイを備え、感光体ドラムに画像データに応じて発光素子アレイから出射した光を照射して露光する露光装置に適用してもよい。この場合、発光素子アレイの各画素の発光素子を画像データに応じた適切な輝度で発光動作させることができて、良好な露光状態を得ることができる。
【符号の説明】
【０１４３】
１００    表示装置
１１０    表示パネル
１２０    選択ドライバ
１３０    電源ドライバ
１４０    データドライバ
１４４    Ｄ／Ａコンバータ
１４５    出力回路
１４５ａ    切換スイッチ
１４５ｂ    フォロワアンプ
１４５ｃ    電流計
１５０    システムコントローラ
ＰＩＸ、ＰＩＸ１、ＰＩＸ２    画素
ＤＣ      画素駆動回路
Ｔｒ１１〜Ｔｒ１３、Ｔｒ２１〜Ｔｒ２３    トランジスタ
Ｃｓ      キャパシタ
ＯＥＬ    有機ＥＬ素子
【図１】
2010281874.tif 000003
【図２】
2010281874.tif 000004
【図３】
2010281874.tif 000005
【図４】
2010281874.tif 000006
【図５】
2010281874.tif 000007
【図６】
2010281874.tif 000008
【図７】
2010281874.tif 000009
【図８】
2010281874.tif 000010
【図９】
2010281874.tif 000011
【図１０】
2010281874.tif 000012
【図１１】
2010281874.tif 000013
【図１２】
2010281874.tif 000014
【図１３】
2010281874.tif 000015
【図１４】
2010281874.tif 000016
【図１５】
2010281874.tif 000017
【図１６】
2010281874.tif 000018
【図１７】
2010281874.tif 000019
【図１８】
2010281874.tif 000020
【図１９】
2010281874.tif 000021
【図２０】
2010281874.tif 000022
【図２１】
2010281874.tif 000023
【図２２】
2010281874.tif 000024
【図２３】
2010281874.tif 000025
【図２４】
2010281874.tif 000026
【図２５】
2010281874.tif 000027
【図２６】
2010281874.tif 000028
【図２７】
2010281874.tif 000029
【図２８】
2010281874.tif 000030
【図２９】
2010281874.tif 000031
【図３０】
2010281874.tif 000032